(57)【特許請求の範囲】
【請求項１】
肌側に設けられた液透過性のトップシートと、着衣側に設けられた液不透過性のバックシートと、該トップシートと該バックシートとの間に設けられた液保持性の吸収体とを備えた吸収性物品であって、
前記トップシートの少なくとも肌側の面の少なくとも一部が、肌側の面に滑剤層が形成された樹脂フィルムで形成されており、
前記滑剤層は、撥水性および／または撥油性を有し、
前記滑剤層の滑剤が、０〜０．６０のＩＯＢと、４５℃以下の融点と、２５℃の水１００ｇに対する、０．０５ｇ以下の水溶解度とを有する血液改質剤である、
前記吸収性物品。
【請求項２】
前記血液改質剤が、
（ｉ）炭化水素、
（ｉｉ）炭化水素のＣ−Ｃ単結合間に、少なくとも１つのカルボニル結合（−ＣＯ−）および／もしくは少なくとも１つのエーテル結合（−Ｏ−）が挿入された化合物、または
（ｉｉｉ）炭化水素のＣ−Ｃ単結合間に、少なくとも１つのカルボニル結合（−ＣＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物、
であり、ここで、（ｉｉ）または（ｉｉｉ）の化合物において、エーテル結合が２つ以上挿入されている場合には、エーテル結合同士は隣接していない、
請求項１に記載の吸収性物品。
【請求項３】
前記血液改質剤が、
（ｉ’）炭化水素、
（ｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入された化合物、または
（ｉｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物、
であり、ここで、（ｉｉ’）または（ｉｉｉ’）の化合物において、２以上の結合が挿入されている場合には、各結合は隣接していない、
請求項１または２に記載の吸収性物品。
【請求項４】
前記血液改質剤が、
（Ａ）２〜４個のヒドロキシル基を有する化合物と、１個のカルボキシル基を有する化合物とのエステル、
（Ｂ）２〜４個のヒドロキシル基を有する化合物と、１個のヒドロキシル基を有する化合物とのエーテル、
（Ｃ）２〜４個のカルボキシル基を有する化合物と、１個のヒドロキシル基を有する化合物とのエステル、
（Ｄ）炭化水素に、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つが挿入された化合物、
（Ｅ）ポリＣ2〜6アルキレングリコール、またはそのエステルもしくはエーテル、あるいは
（Ｆ）鎖状炭化水素、
である、請求項１〜３のいずれか１項に記載の吸収性物品。
【請求項５】
前記血液改質剤が、（Ａ1）鎖状炭化水素テトラオールと脂肪酸とのエステル、（Ａ2）鎖状炭化水素トリオールと脂肪酸とのエステル、（Ａ3）鎖状炭化水素ジオールと脂肪酸とのエステル、（Ｂ1）鎖状炭化水素テトラオールと脂肪族１価アルコールとのエーテル、（Ｂ2）鎖状炭化水素トリオールと脂肪族１価アルコールとのエーテル、（Ｂ3）鎖状炭化水素ジオールと脂肪族１価アルコールとのエーテル、（Ｃ1）４個のカルボキシル基を有する鎖状炭化水素テトラカルボン酸、ヒドロキシ酸、アルコキシ酸またはオキソ酸と、脂肪族１価アルコールとのエステル、（Ｃ2）３個のカルボキシル基を有する鎖状炭化水素トリカルボン酸、ヒドロキシ酸、アルコキシ酸またはオキソ酸と、脂肪族１価アルコールとのエステル、（Ｃ3）２個のカルボキシル基を有する鎖状炭化水素ジカルボン酸、ヒドロキシ酸、アルコキシ酸またはオキソ酸と、脂肪族１価アルコールとのエステル、（Ｄ1）脂肪族１価アルコールと脂肪族１価アルコールとのエーテル、（Ｄ2）ジアルキルケトン、（Ｄ3）脂肪酸と脂肪族１価アルコールとのエステル、（Ｄ4）ジアルキルカーボネート、（Ｅ1）ポリＣ2〜6アルキレングリコール、（Ｅ2）ポリＣ2〜6アルキレングリコールと脂肪酸とのエステル、（Ｅ3）ポリＣ2〜6アルキレングリコールと脂肪族１価アルコールとのエーテル、（Ｅ4）ポリＣ2〜6アルキレングリコールと、鎖状炭化水素テトラカルボン酸、鎖状炭化水素トリカルボン酸、または鎖状炭化水素ジカルボン酸とのエステル、（Ｅ5）ポリＣ2〜6アルキレングリコールと、鎖状炭化水素テトラオール、鎖状炭化水素トリオール、または鎖状炭化水素ジオールとのエーテル、および（Ｆ1）鎖状アルカンから成る群から選択される、請求項１〜４のいずれか１項に記載の吸収性物品。
【請求項６】
前記トップシートは、断面が略波状になるように曲げられることによって形成された、並列に配置された複数の突条部と、隣接する該突条部の間に配置された底部とを備え、
前記突条部は、前記突条部の延びる方向に並ぶ複数の開口部を有する壁部を含む請求項１〜５のいずれか１項に記載の吸収性物品。
【請求項７】
前記トップシートの少なくとも着用者の体液の排出口に対向する領域は、肌側の面に前記滑剤層が形成された前記樹脂フィルムで形成されており、
少なくとも着用者の体液の排出口に対向する領域で、前記トップシートと前記吸収体とは接合されていない請求項１〜６のいずれか１項に記載の吸収性物品。
【発明の詳細な説明】
【技術分野】
【０００１】
本発明は、使い捨ておむつや生理用ナプキンなどの吸収性物品に関する。
【背景技術】
【０００２】
着用者の体液を通過させるための開口部が複数形成されたポリオレフィンフィルムをトップシートとして使用した吸収性物品が知られている（たとえば、特許文献１）。着用者の体液はこの開口部を通過して吸収体に吸収される。
【先行技術文献】
【特許文献】
【０００３】
【特許文献１】特表２００６−５１５５３９号公報
【発明の概要】
【発明が解決しようとする課題】
【０００４】
インドなどの国では、トイレにいるときに生理用ナプキンの表面に付着して経血をトイレットペーパーなどで拭き取ることによって、１つの生理用ナプキンを長時間使用する習慣がある。しかしながら、特許文献１に記載されているような従来の吸収性物品では、生理用ナプキンの表面に付着して経血をトイレットペーパーなどで拭き取った後もトップシートの表面に経血が多く残留してしまう場合がある。この場合、トップシートの表面に残留した経血のために、トイレで生理用ナプキンが見えるたびに生理用ナプキンに対して不潔感を抱く場合がある。
【０００５】
本発明は、トップシートに付着した経血などの体液をトイレットペーパーなどで拭き取ったあとに残留する体液が少ない、または体液が残留しない吸収性物品を提供することを目的とする。
【課題を解決するための手段】
【０００６】
本発明は、上記課題を解決するため、以下の構成を採用した。
すなわち、本発明は、肌側に設けられた液透過性のトップシートと、着衣側に設けられた液不透過性のバックシートと、トップシートとバックシートとの間に設けられた液保持性の吸収体とを備えた吸収性物品であって、トップシートの少なくとも肌側の面の少なくとも一部が、肌側の面に滑剤層が形成された樹脂フィルムで形成されており、滑剤層は、撥水性および／または撥油性を有する。
【発明の効果】
【０００７】
本発明によれば、トップシートに付着した体液をトイレットペーパーなどで拭き取ったあと、残留する体液が少ないか、または体液が残留しないようにできる。
【図面の簡単な説明】
【０００８】
【図１】図１は、本発明の第１の実施形態の吸収性物品の部分破断平面図である。
【図２】図２は、図１のＡ−Ａ線断面を示す模式断面図である。
【図３】図３は、本発明の第１の実施形態の吸収性物品のトップシートを説明するための図である。
【図４】図４は、本発明の第１の実施形態の吸収性物品のトップシートの製造方法を説明するための図である。
【図５】図５は、本発明の第１の実施形態の吸収性物品のトップシートの製造方法に使用される凹部形成ロールを説明するための図である。
【図６】図６は、本発明の第１の実施形態の吸収性物品のトップシートの製造方法に使用される延伸ギアロールを説明するための図である。
【図７】図７は、延伸ギアロールによって延伸される樹脂フィルムを説明するための図である。
【図８】図８は、本発明の第１の実施形態の吸収性物品のトップシートの製造方法の各工程で変わる樹脂フィルムの形態を説明するための図である。
【図９】図９は、本発明の第１の実施形態の吸収性物品のトップシートを示す顕微鏡写真である。
【図１０】図１０は、本発明の第２の実施形態の吸収性物品のトップシートを説明するための図である。
【図１１】図１１は、本発明の第２の実施形態の吸収性物品のトップシートの製造方法を説明するための図である。
【図１２】図１２は、延伸ギアロールによって延伸される複合シートを説明するための図である。
【図１３】図１３は、樹脂フィルム層に開口部が形成されたトップシートの肌側の顕微鏡写真である。
【図１４】図１４は、樹脂フィルム層に開口部が形成されたトップシートの着衣側の顕微鏡写真である。
【図１５】図１５は、本発明の吸収性物品のトップシートの変形例を説明するための図である。
【図１６】図１６は、本発明の吸収性物品のトップシートの変形例を説明するための図である。
【図１７】図１７は、本発明のトップシートの変形例を説明するための図である。
【図１８】図１８は、実施例および比較例の表面を撮影した顕微鏡写真である。
【図１９】図１９は、実施例および比較例に高粘度人工経血を滴下して１分間放置した後の実施例および比較例の表面の状態を示す写真である。
【図２０】図２０は、実施例および比較例から高粘度人工経血を拭き取った後のトイレットペーパーの表面の状態を示す写真である。
【図２１】図２１は、トイレットペーパーを使用して高粘度人工経血を拭き取った後の実施例および比較例の表面の状態を示す写真である。
【図２２】図２２は、例１において、トップシートが血液改質剤を含む範囲を示す図である。
【図２３】図２３は、血液改質剤を含むまたは含まない経血の顕微鏡写真である。
【図２４】図２４は、表面張力の測定方法を説明するための図である。
【発明を実施するための形態】
【０００９】
−第１の実施形態−
以下、図面を参照して、本発明の第１の実施形態の吸収性物品を説明するが、本発明は図面に記載されたものに限定されるものではない。
図１は本発明の第１の実施形態の吸収性物品の部分破断平面図であり、図２は図１のＡ−Ａ線断面を示す模式断面図である。吸収性物品１は、肌側に設けられた液透過性のトップシート２Ａと、着衣側に設けられた液不透過性のバックシート３と、トップシート２Ａとバックシート３との間に設けられた液保持性の吸収体４とを備える。バックシート３は、幅方向に延出して、一対のウイング部５を形成する。ウイング部５の着衣側に、粘着部６が設けられている。なお、図１において、吸収性物品１の幅方向はＸ軸方向であり、長手方向はＹ軸方向である。また、吸収性物品１の平面方向は、ＸＹ方向である。
【００１０】
トップシート２Ａは、着用者から排出された尿、経血などの体液を、吸収体４へ移動させる。トップシート２Ａの少なくとも一部は液透過性を有し、体液を透過するための多数の開口部が形成された樹脂フィルムで作製される。トップシート２Ａとして使用される樹脂フィルムは、オレフィンとアクリル酸エステル、酢酸ビニルなどの他モノマーとの共重合体、ポリオレフィン、ポリエステル、ポリプロピレン、ポリエチレン、ポリエチレンテレフタレート、ポリアミド、酢酸セルロースなどから作製される。柔軟性が高く肌に対する刺激が少ない点から、トップシート２として使用される樹脂フィルムは、オレフィンと他モノマーとの共重合体、またはポリオレフィンがとくに好ましい。
【００１１】
トップシート２Ａの坪量は、好ましくは１ｇ/ｍ2以上、４０ｇ/ｍ2以下であり、より好ましくは１０ｇ/ｍ2以上、３５ｇ/ｍ2以下である。また、トップシート２Ａの厚さは、好ましくは０．０１ｍｍ以上、０．４ｍｍ以下であり、より好ましくは０．１ｍｍ以上、０．３５ｍｍ以下である。トップシート２Ａの厚さが０．０１ｍｍ未満の場合には、トップシート２Ａの後述の隠ぺい性が小さくなりすぎてしまう場合があり、トップシート２Ａの厚さが０．４ｍｍを超える場合には、トップシート２Ａの剛性が高くなり、着用者の肌に対するトップシート２Ａの刺激が強くなりすぎてしまう場合がある。
【００１２】
トップシート２Ａは、吸収体４に吸収された体液が外部から見えないようにするため、隠ぺい性を有する。トップシート２Ａの隠ぺい性は、酸化チタンなどのフィラーを樹脂に混ぜることによって生ずる。フィラーが酸化チタンの場合、酸化チタンの含有量は、樹脂フィルムの重量に対して、好ましくは１％以上、５０％以下であり、より好ましくは３％以上、１５％以下である。酸化チタンの含有量が樹脂フィルムの重量に対して１％未満であると、トップシート２Ａにおける吸収体４に吸収された体液を隠ぺいする効果が小さすぎてしまう場合がある。酸化チタンの含有量が樹脂フィルムの重量に対して５０％を超えると、酸化チタンを含有した樹脂のシート成形が困難になる場合がある。
【００１３】
トップシート２Ａは、着用者の肌とトップシート２Ａとの間の接触面積を小さくしてトップシート２Ａの肌触りを良好にするために、幅方向の断面が略波状になるように曲げられている。なお、トップシート２Ａは、長手方向の断面が略波状になるように曲げられていてもよい。トップシート２Ａは、断面が略波状になるように曲げられている。これにより、着用者がトイレットペーパーなどで経血などの体液を拭き取る際にトップシート２Ａの表面に印加される圧力によって、トップシート２Ａの略波状形状が変形してトップシート２Ａが平坦になり、トップシート２Ａの表面に付着した体液が拭き取りやすくなる。
【００１４】
図３を参照して、トップシート２Ａをさらに詳細に説明する。
幅方向の断面が略波状になるように曲げられたトップシート２Ａは、長手方向に延びる突条部２１Ａと隣接する突条部２１Ａの間に配置された底部２２Ａとを有する。なお、突条部２１Ａが延びる方向は、長手方向に限定されない。突条部２１Ａは、着用者の肌に接する頂部２３Ａと側面の壁部２４Ａとを有する。突条部２１Ａの厚さ方向の高さ、すなわち、頂部２３Ａと底部２２Ａとの間の厚さ方向の高さの差は、好ましくは０．１ｍｍ以上、５ｍｍ以下である。頂部２３Ａと底部２２Ａとの間の厚さ方向の高さの差が０．１ｍｍ未満である場合は、吸収体４に一旦吸収された体液がトップシート２の後述の開口部２５Ａを通って逆戻りする場合がある。頂部２３Ａと底部２２Ａとの間の厚さ方向の高さの差が５ｍｍより大きい場合は、着用者が吸収性物品１を着用したとき、突条部２１Ａが倒れてしまう場合がある。
【００１５】
壁部２４Ａは、底部２２Ａに対して垂直ではなく、傾斜していることが好ましい。すなわち、底部２２Ａと壁部２４Ａとのなす角度は、好ましくは９０°よりも大きい。しかし、底部２２Ａと壁部２４Ａとのなす角度は、好ましくは１６５°以下である。底部２２Ａと壁部２４Ａとのなす角度を９０°以下にするには、樹脂フィルムを大きく塑性変形させなければならないので、底部２２Ａと壁部２４Ａとのなす角度が９０°以下の場合、トップシート２Ａの強度が非常に弱くなる場合がある。底部２２Ａと壁部２４Ａとのなす角度が１６５°より大きい場合、吸収体４に一旦吸収された体液がトップシート２Ａの後述の開口部２５Ａを通って逆戻りしたり、後述の開口部２５Ａを通して吸収体４に吸収された体液が見えるようになり、トップシート２Ａの隠ぺい性が小さくなったりする場合がある。
【００１６】
トップシート２Ａの壁部２４Ａは、突条部２１Ａの延びる方向（長手方向）に並ぶ複数の開口部２５Ａを有する。開口部２５Ａはトップシート２Ａを貫通する穴であり、着用者の体液は、開口部２５Ａを通って吸収体４に吸収される。１つの開口部２５Ａの開口面積は、好ましくは０．００１ｍｍ2以上、１ｍｍ2以下であり、より好ましくは０．０１ｍｍ2以上、０．１ｍｍ2以下である。１つの開口部２５Ａの開口面積が０．００１ｍｍ2よりも小さいと、着用者の体液は、開口部２５Ａを通らなくなる場合があり、１つの開口部２５Ａの開口面積が１ｍｍ2よりも大きいと、吸収体４に一旦吸収された体液がトップシート２Ａの開口部２５Ａを通って逆戻りしたり、開口部２５Ａを通して吸収体４に吸収された体液が見えるようになり、トップシート２Ａの隠ぺい性が小さくなったりする場合がある。
【００１７】
トップシート２Ａの面積に対する総開口面積の割合、すなわち、トップシート２Ａの開口率は、好ましくは５％以上、２０％以下である。トップシート２Ａの開口率が５％よりも小さい場合、トップシート２Ａにおける体液の透過性が悪くなる場合があり、トップシート２Ａの開口率が２０％よりも大きい場合、吸収体４に一旦吸収された体液がトップシート２Ａの開口部２５Ａを通って逆戻りしたり、開口部２５Ａを通して吸収体４に吸収された体液が見えるようになり、トップシート２Ａの隠ぺい性が小さくなったりする場合がある。
【００１８】
開口部２５Ａは、頂部２３Ａ付近から底部２２Ａ付近にわたって形成されている。このため、一度の多量の体液が着用者から排出された場合でも、吸収性物品１は、その体液を吸収することができるので、吸収性物品１からの体液の漏れを抑制できる。
【００１９】
トップシート２Ａの頂部２３Ａは、突条部２１Ａの延びる方向（長手方向）に並ぶ複数の凹部２６Ａを有する。凹部２６Ａの平面方向の形状は、たとえば、菱形であり、この菱形の一辺の長さは、たとえば０．１５ｍｍであり、隣接する２つの凹部間距離は、たとえば０．３４ｍｍである。なお、凹部２６Ａの平面方向の形状は、菱形に限定されず、正方形、矩形形状、三角形、円形、星形、線状（直線状）などの形状でもよい。また、凹部２６Ａの大きさも０．１５ｍｍ×０．１５ｍｍに限定されず、隣接する２つの凹部間距離も０．３４ｍｍに限定されない。凹部２６Ａの深さは、着用者の肌がトップシート２Ａの頂部２３Ａに接したとき、着用者の肌が凹部２６Ａの底に接しないような深さであればとくに限定されない。トップシート２Ａの底部２２Ａにも突条部２１Ａの延びる方向（長手方向）に並ぶ複数の凹部２６Ａがあるが、なくてもよい。
【００２０】
頂部２３Ａに設けられた凹部２６Ａによって、着用者の肌と直接接触する頂部２３Ａの接触面積が低減するため、着用時の吸収性物品１の肌への張り付きが抑制され、着用者が違和感やかゆみなどを感じたり、かぶれなどの肌トラブルが着用者に発生したりすることが抑制される。また、後述の滑剤が凹部２６Ａの中に収納される。これにより、トップシート２Ａに付着した経血などの体液をトイレットペーパーなどで拭き取った後も滑剤は凹部２６Ａの中に残り、凹部２６Ａに残った滑剤がトップシート２Ａの表面に広がり、滑剤層２７Ａに滑剤が補充されることができる。
【００２１】
トップシート２Ａの表面に滑剤を塗布することによって、トップシート２Ａの肌側の表面に滑剤層２７Ａが形成されている。この滑剤層２７Ａによって、トップシート２Ａに付着した経血などの体液をトイレットペーパーなどで拭き取ったあと、残留する体液が少ないか、または体液が残留しないようにできる。なお、滑剤層２７Ａはトップシート２Ａの全面に形成されていてもよいし、吸収性物品１における着用者の体液が排出される領域に対応する領域のみに滑剤層２７Ａはトップシート２Ａに形成されていてもよい。すなわち、滑剤層２７Ａはトップシート２Ａの表面の少なくとも一部に形成されていればよい。
【００２２】
滑剤層２７Ａは、撥水性および／または撥油性を有する。滑剤層２７Ａの滑剤は、トップシート２Ａに撥水性および／または撥油性を付与できる化合物であればとくに限定されないが、好ましくは、フッ素化合物、シリコン化合物、または血液改質剤である。滑剤層２７Ａの滑剤は、さらに好ましくは、血液改質剤である。血液改質剤は、０〜０．６０のＩＯＢと、４５℃以下の融点と、２５℃における、０．０５ｇ以下の水溶解度を有する。
【００２３】
血液改質剤の融点が４５℃以下であるので、血液改質剤が固体の場合でも、３０〜４０℃の体液と接触した際に血液改質剤は液化する。体液とトップシート２Ａとの間に液体状の血液改質剤が存在するので、トップシート２Ａに付着した体液をトイレットペーパーなどで拭き取ったあと、残留する体液が少ないか、または体液が残留しないようにできると考えられる。
【００２４】
血液改質剤は、血液の粘度および表面張力を下げるメカニズムを有する。これにより、高粘度の体液がトップシート２Ａに付着した場合、付着した体液の粘度および表面張力が小さくなるので、付着した体液を容易に拭き取ることができる。
【００２５】
ＩＯＢ（Ｉｎｏｒｇａｎｉｃ  Ｏｒｇａｎｉｃ  Ｂａｌａｎｃｅ）は、親水性および親油性のバランスを示す指標であり、本明細書では、小田らによる次式：
ＩＯＢ＝無機性値／有機性値
により算出される値を意味する。
【００２６】
上記無機性値と、有機性値とは、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値および無機性値を、以下の表１にまとめる。
【００２７】
【表１】
0005745377.tif 000002
【００２８】
たとえば、炭素数１４のテトラデカン酸と、炭素数１２のドデシルアルコールとのエステルの場合には、有機性値が５２０（ＣＨ2，２０×２６個）、無機性値が６０（−ＣＯＯＲ，６０×１個）となるため、ＩＯＢ＝０．１２となる。
【００２９】
上記血液改質剤において、ＩＯＢは、約０〜約０．６０であり、約０〜約０．５０であることが好ましく、約０〜約０．４０であることがより好ましく、そして約０〜約０．３０であることがさらに好ましい。ＩＯＢが低いほど、有機性が高く、血球との親和性が高くなると考えられるからである。
【００３０】
本明細書において、「融点」は、示差走査熱量分析計において、昇温速度１０℃／分で測定した場合の、固形状から液状に変化する際の吸熱ピークのピークトップ温度を意味する。上記融点は、たとえば、島津製作所社製のＤＳＣ−６０型ＤＳＣ測定装置を用い、昇温速度１０℃／分で測定することができる。
【００３１】
上記血液改質剤は、約４５℃以下の融点を有すれば、室温で液体であっても、または固体であってもよい、すなわち、融点が約２５℃以上でも、または約２５℃未満でもよく、そしてたとえば、約−５℃、約−２０℃等の融点を有することができる。上記血液改質剤の融点が約４５℃以下である根拠は、後述する。
【００３２】
上記血液改質剤は、その融点に下限は存在しないが、その蒸気圧が低いことが好ましい。上記血液改質剤の蒸気圧は、１気圧および２５℃で約０．０１Ｐａ以下であることが好ましく、約０．００１Ｐａ以下であることがより好ましく、そして約０．０００１Ｐａ以下であることがさらに好ましい。本開示の吸収性物品が、人体に接して用いられることを考慮すると、上記蒸気圧は、１気圧および４０℃で約０．０１Ｐａ以下であることが好ましく、約０．００１Ｐａ以下であることがより好ましく、そして約０．０００１Ｐａ以下であることがさらに好ましい。蒸気圧が高いと、保存中に気化し、血液改質剤の量の減少、着用時の臭気等の問題が発生する場合があるからである。
【００３３】
また、血液改質剤の融点を、気候、着用時間の長さ等に応じて、使い分けることができる。たとえば、平均気温が１０℃以下の地域では、約１０℃以下の融点を有する血液改質剤を採用することにより、経血が排泄された後、周囲温度によって冷却された場合であっても、血液改質剤が、安定して血液を改質することができると考えられる。
また、吸収性物品が長時間にわたって使用される場合には、血液改質剤の融点は、４５℃以下の範囲で高い方が好ましい。汗、着用時の摩擦等の影響を受けにくく、長時間着用した場合であっても、血液改質剤が移動しにくいからである。
【００３４】
上記水溶解度は、２５℃において、１００ｇの脱イオン水に、０．０５ｇの試料を添加して２４時間静置し、２４時間後に、必要に応じて軽く攪拌し、試料が溶解したか否かにより、０．０５ｇ以下の水溶解度を有するか否か判断することができる。
なお、本明細書では、水溶解度に関して、「溶解」には、試料が脱イオン水に完全に溶解し、均一混合物を形成した場合と、試料が完全にエマルション化した場合とが含まれる。なお、「完全」とは、脱イオン水に、試料の塊が存在しないことを意味する。
【００３５】
当技術分野では、血液の表面張力等を変化させ、血液を迅速に吸収することを目的として、トップシートの表面を、界面活性剤でコーティングすることが行われている。しかし、界面活性剤は、一般に水溶解度が高いため、界面活性剤がコーティングされたトップシートは、血液中の親水性成分（血漿等）となじみがよく、むしろ血液をトップシートに残存させるようにはたらく傾向がある。上記血液改質剤は、水溶解度が低いため、従来公知の界面活性剤と異なり、血液をトップシートに残存させず、迅速に吸収体に移行させることができると考えられる。
【００３６】
本明細書において、２５℃における、１００ｇの水に対する溶解度を、単に、「水溶解度」と称する場合がある。
上記血液改質剤は、約０ｇの水溶解度を有することができる。したがって、上記血液改質剤において、上記水溶解度の下限は、約０ｇである。
【００３７】
上記血液改質剤の例として、以下の構造を有する化合物が挙げられる。
（ｉ）炭化水素、
（ｉｉ）炭化水素のＣ−Ｃ単結合間に、少なくとも１つのカルボニル結合（−ＣＯ−）および／もしくは少なくとも１つのエーテル結合（−Ｏ−）が挿入された化合物、または
（ｉｉｉ）炭化水素のＣ−Ｃ単結合間に、少なくとも１つのカルボニル結合（−ＣＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物。
【００３８】
本明細書において、「炭化水素」は、炭素と水素とから成る化合物を意味し、鎖状炭化水素、たとえば、パラフィン系炭化水素（二重結合および三重結合を含まない、アルカンとも称される）、オレフィン系炭化水素（二重結合を１つ含む、アルケンとも称される）、アセチレン系炭化水素（三重結合を１つ含む、アルキンとも称される）、および二重結合および三重結合から成る群から選択される結合を２つ以上含む炭化水素、並びに環状炭化水素、たとえば、芳香族炭化水素、脂環式炭化水素が挙げられる。
【００３９】
上記炭化水素としては、鎖状炭化水素および脂環式炭化水素であることが好ましく、鎖状炭化水素であることがより好ましく、パラフィン系炭化水素、オレフィン系炭化水素、および二重結合を２つ以上含む炭化水素（三重結合を含まない）であることがさらに好ましく、そしてパラフィン系炭化水素であることが最も好ましい。
上記鎖状炭化水素には、直鎖状炭化水素および分岐鎖状炭化水素が含まれる。
【００４０】
上記（ｉｉ）および（ｉｉｉ）の化合物において、エーテル結合（−Ｏ−）が２つ以上挿入されている場合には、エーテル結合（−Ｏ−）同士は隣接していない。したがって、上記（ｉｉ）および（ｉｉｉ）の化合物には、エーテル結合が連続する化合物（いわゆる、過酸化物）は含まれない。
【００４１】
また、上記（ｉｉｉ）の化合物では、炭化水素上の少なくとも１つの水素原子が、カルボキシル基（−ＣＯＯＨ）で置換された化合物よりも、炭化水素上の少なくとも１つの水素原子が、ヒドロキシル基（−ＯＨ）で置換された化合物の方が好ましい。表１に示すように、カルボキシル基は、経血中の金属等と結合し、無機性値が１５０から、４００以上へと大幅に上昇するため、カルボキシル基を有する血液改質剤は、使用時にＩＯＢの値が約０．６を上回り、血球との親和性が低下する可能性があるからである。
【００４２】
上記血液改質剤は、好ましくは、以下の構造を有する化合物であることができる。
（ｉ’）炭化水素、
（ｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入された化合物、または
（ｉｉｉ’）炭化水素のＣ−Ｃ単結合間に、少なくとも１つのカルボニル結合（−ＣＯ−）、少なくとも１つのエステル結合（−ＣＯＯ−）、少なくとも１つのカーボネート結合（−ＯＣＯＯ−）および／もしくは少なくとも１つのエーテル結合（−Ｏ−）が挿入され、かつ炭化水素上の少なくとも１つの水素原子が、カルボキシル基（−ＣＯＯＨ）もしくはヒドロキシル基（−ＯＨ）で置換された化合物。
【００４３】
上記（ｉｉ’）および（ｉｉｉ’）の化合物において、２以上の結合が挿入されている場合、すなわち、カルボニル結合（−ＣＯ−）、エステル結合（−ＣＯＯ−）、カーボネート結合（−ＯＣＯＯ−）およびエーテル結合（−Ｏ−）から選択される２以上の結合が挿入されている場合には、各結合は隣接しておらず、各結合の間には、少なくとも、炭素原子が１つ介在する。
【００４４】
上記血液改質剤は、さらに好ましくは、炭化水素中に、炭素原子１０個当たり、カルボニル結合（−ＣＯ−）を約１．８個以下、エステル結合（−ＣＯＯ−）を２個以下、カーボネート結合（−ＯＣＯＯ−）を約１．５個以下、エーテル結合（−Ｏ−）を約６個以下、カルボキシル基（−ＣＯＯＨ）を約０．８個以下、そして／またはヒドロキシル基（−ＯＨ）を約１．２個以下有する化合物であることができる。
【００４５】
上記血液改質剤は、さらに好ましくは、
（Ａ）２〜４個のヒドロキシル基を有する化合物と、１個のカルボキシル基を有する化合物とのエステル、
（Ｂ）２〜４個のヒドロキシル基を有する化合物と、１個のヒドロキシル基を有する化合物とのエーテル、
（Ｃ）２〜４個のカルボキシル基を有する化合物と、１個のヒドロキシル基を有する化合物とのエステル、
（Ｄ）炭化水素に、カルボニル結合（−ＣＯ−）、エステル結合（−ＣＯＯ−）、カーボネート結合（−ＯＣＯＯ−）およびエーテル結合（−Ｏ−）から成る群から選択されるいずれか１つが挿入された化合物、
（Ｅ）ポリＣ3~6アルキレングリコール、またはそのアルキルエステルもしくはアルキルエーテル、あるいは
（Ｆ）鎖状炭化水素、
であることができる。
以下、（Ａ）〜（Ｆ）について詳細に説明する。
【００４６】
［（Ａ）２〜４個のヒドロキシル基を有する化合物と、１個のカルボキシル基を有する化合物とのエステル］
（Ａ）２〜４個のヒドロキシル基を有する化合物と、１個のカルボキシル基を有する化合物とのエステル（以下、「化合物（Ａ）」と称する場合がある）には、４個、３個、または２個のヒドロキシル基を有する化合物と、１個のカルボキシル基を有する化合物とのエステルが含まれ、上述のＩＯＢ、融点および水溶解度を有する範囲にある限り、全てのヒドロキシル基がエステル化されていなくともよい。
【００４７】
上記２〜４個のヒドロキシル基を有する化合物としては、たとえば、鎖状炭化水素テトラオール、たとえば、アルカンテトラオール、たとえば、ペンタエリトリトール、鎖状炭化水素トリオール、たとえば、アルカントリオール、たとえば、グリセリン、および鎖状炭化水素ジオール、たとえば、アルカンジオール、たとえば、グリコールが挙げられる。上記１個のカルボキシル基を有する化合物としては、たとえば、炭化水素上の１つの水素原子が、１つのカルボキシル基（−ＣＯＯＨ）で置換された化合物、たとえば、脂肪酸が挙げられる。
化合物（Ａ）としては、たとえば、（Ａ1）鎖状炭化水素テトラオールと脂肪酸とのエステル、（Ａ2）鎖状炭化水素トリオールと脂肪酸とのエステル、および（Ａ3）鎖状炭化水素ジオールと脂肪酸とのエステルが挙げられる。
【００４８】
［（Ａ1）鎖状炭化水素テトラオールと脂肪酸とのエステル］
上記鎖状炭化水素テトラオールと脂肪酸とのエステルとしては、たとえば、次の式（１）：
【化１】
0005745377.tif 000003
のペンタエリトリトールと脂肪酸とのテトラエステル、次の式（２）：
【化２】
0005745377.tif 000004
のペンタエリトリトールと脂肪酸とのトリエステル、次の式（３）：
【化３】
0005745377.tif 000005
のペンタエリトリトールと脂肪酸とのジエステル、次の式（４）：
【化４】
0005745377.tif 000006
のペンタエリトリトールと脂肪酸とのモノエステルが挙げられる。
（式中、Ｒ1〜Ｒ4は、それぞれ、鎖状炭化水素である）
【００４９】
上記ペンタエリトリトールと脂肪酸とのエステルを構成する脂肪酸（Ｒ1ＣＯＯＨ、Ｒ2ＣＯＯＨ，Ｒ3ＣＯＯＨ，およびＲ4ＣＯＯＨ）としては、ペンタエリトリトールと脂肪酸とのエステルが、上記ＩＯＢ、融点および水溶解度の要件を満たすものであれば、特に制限されないが、たとえば、飽和脂肪酸、たとえば、Ｃ2〜Ｃ30の飽和脂肪酸、たとえば、酢酸（Ｃ2）（Ｃ2は、炭素数を示し、Ｒ1Ｃ、Ｒ2Ｃ，Ｒ3ＣまたはＲ4Ｃの炭素数に相当する、以下同じ）、プロパン酸（Ｃ3）、ブタン酸（Ｃ4）およびその異性体、たとえば、２−メチルプロパン酸（Ｃ4）、ペンタン酸（Ｃ5）およびその異性体、たとえば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）およびその異性体、たとえば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びにこれらの異性体（上述のものを除く）が挙げられる。
【００５０】
上記脂肪酸はまた、不飽和脂肪酸であることができる。上記不飽和脂肪酸としては、たとえば、Ｃ3〜Ｃ20の不飽和脂肪酸、たとえば、モノ不飽和脂肪酸、たとえば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、たとえば、リノール酸（Ｃ18）、エイコサジエン酸（Ｃ20）等、トリ不飽和脂肪酸、たとえば、リノレン酸、たとえば、α-リノレン酸（Ｃ18）およびγ-リノレン酸（Ｃ18）、ピノレン酸（Ｃ18）、エレオステアリン酸、たとえば、α-エレオステアリン酸（Ｃ18）およびβ-エレオステアリン酸（Ｃ18）、ミード酸（Ｃ20）、ジホモ-γ-リノレン酸（Ｃ20）、エイコサトリエン酸（Ｃ20）等、テトラ不飽和脂肪酸、たとえば、ステアリドン酸（Ｃ20）、アラキドン酸（Ｃ20）、エイコサテトラエン酸（Ｃ20）等、ペンタ不飽和脂肪酸、たとえば、ボセオペンタエン酸（Ｃ18）、エイコサペンタエン酸（Ｃ20）等、並びにこれらの部分水素付加物が挙げられる。
【００５１】
上記ペンタエリトリトールと脂肪酸とのエステルとしては、酸化等により変性する可能性を考慮すると、飽和脂肪酸に由来する、ペンタエリトリトールと脂肪酸とのエステル、すなわち、ペンタエリトリトールと飽和脂肪酸とのエステルであることが好ましい。
また、上記ペンタエリトリトールと脂肪酸とのエステルとしては、ＩＯＢを小さくし、より疎水性とするために、ジエステル、トリエステルまたはテトラエステルであることが好ましく、トリエステルまたはテトラエステルであることがより好ましく、そしてテトラエステルであることが最も好ましい。
【００５２】
上記ペンタエリトリトールと脂肪酸とのテトラエステルでは、ペンタエリトリトールと脂肪酸とのテトラエステルを構成する脂肪酸の炭素数の合計、すなわち、上記式（１）において、Ｒ1Ｃ、Ｒ2Ｃ、Ｒ3ＣおよびＲ4Ｃ部分の炭素数の合計が１５の場合にＩＯＢが０．６０となる。したがって、上記ペンタエリトリトールと脂肪酸とのテトラエステルでは、上記炭素数の合計が約１５以上である場合に、ＩＯＢが約０〜約０．６の要件を満たす。
上記ペンタエリトリトールと脂肪酸とのテトラエステルでは、たとえば、ペンタエリトリトールと、ヘキサン酸（Ｃ6）、ヘプタン酸（Ｃ7）、オクタン酸（Ｃ8）、たとえば、２−エチルヘキサン酸（Ｃ8）、ノナン酸（Ｃ9）、デカン酸（Ｃ10）および／またはドデカン酸（Ｃ12）とのテトラエステルが挙げられる。
【００５３】
上記ペンタエリトリトールと脂肪酸とのトリエステルでは、ペンタエリトリトールと脂肪酸とのトリエステルを構成する脂肪酸の炭素数の合計、すなわち、上記式（２）において、Ｒ1Ｃ、Ｒ2ＣおよびＲ3Ｃ部分の炭素数の合計が１９の場合にＩＯＢが０．５８となる。したがって、上記ペンタエリトリトールと脂肪酸とのトリエステルでは、脂肪酸の炭素数の合計が約１９以上である場合に、ＩＯＢが約０〜約０．６の要件を満たす。
【００５４】
上記ペンタエリトリトールと脂肪酸とのジエステルでは、ペンタエリトリトールと脂肪酸とのジエステルを構成する脂肪酸の炭素数の合計、すなわち、上記式（３）において、Ｒ1ＣおよびＲ2Ｃ部分の炭素数の合計が２２の場合にＩＯＢが０．５９となる。したがって、上記ペンタエリトリトールと脂肪酸とのジエステルでは、脂肪酸の炭素数の合計が約２２以上である場合に、ＩＯＢが約０〜約０．６の要件を満たす。
【００５５】
上記ペンタエリトリトールと脂肪酸とのモノエステルでは、ペンタエリトリトールと脂肪酸とのモノエステルを構成する脂肪酸の炭素数、すなわち、上記式（４）において、Ｒ1Ｃ部分の炭素数が２５の場合にＩＯＢが０．６０となる。したがって、上記ペンタエリトリトールと脂肪酸とのモノエステルでは、脂肪酸の炭素数が約２５以上である場合に、ＩＯＢが約０〜約０．６の要件を満たす。
なお、上記計算に当たっては、二重結合、三重結合、ｉｓｏ分岐、およびｔｅｒｔ分岐の影響は、考慮していない。
【００５６】
上記ペンタエリトリトールと脂肪酸とのエステルの市販品としては、ユニスター  Ｈ−４０８ＢＲＳ、Ｈ−２４０８ＢＲＳ−２２（混合品）等（以上、日油株式会社製）が挙げられる。
【００５７】
［（Ａ2）鎖状炭化水素トリオールと脂肪酸とのエステル］
上記鎖状炭化水素トリオールと脂肪酸とのエステルとしては、たとえば、次の式（５）：
【化５】
0005745377.tif 000007
のグリセリンと脂肪酸とのトリエステル、次の式（６）：
【化６】
0005745377.tif 000008
のグリセリンと脂肪酸とのジエステル、および次の式（７）：
【化７】
0005745377.tif 000009
（式中、Ｒ5〜Ｒ7は、それぞれ、鎖状炭化水素である）
のグリセリンと脂肪酸とのモノエステルが挙げられる。
【００５８】
上記グリセリンと脂肪酸とのエステルを構成する脂肪酸（Ｒ5ＣＯＯＨ、Ｒ6ＣＯＯＨおよびＲ7ＣＯＯＨ）としては、グリセリンと脂肪酸とのエステルが、上記ＩＯＢ、融点および水溶解度の要件を満たすものであれば、特に制限されず、たとえば、「（Ａ1）鎖状炭化水素テトラオールと脂肪酸とのエステル」において列挙される脂肪酸、すなわち、飽和脂肪酸および不飽和脂肪酸が挙げられ、酸化等により変性する可能性を考慮すると、飽和脂肪酸に由来する、グリセリンと脂肪酸とのエステル、すなわち、グリセリンと飽和脂肪酸とのエステルであることが好ましい。
また、上記グリセリンと脂肪酸とのエステルとしては、ＩＯＢを小さくし、より疎水性とするために、ジエステルまたはトリエステルであることが好ましく、そしてトリエステルであることがより好ましい。
【００５９】
上記グリセリンと脂肪酸とのトリエステルは、トリグリセリドとも称され、たとえば、グリセリンとオクタン酸（Ｃ8）とのトリエステル、グリセリンとデカン酸（Ｃ10）とのトリエステル、グリセリンとドデカン酸（Ｃ12）とのトリエステル、およびグリセリンと、２種または３種の脂肪酸とのトリエステル、並びにこれらの混合物が挙げられる。
【００６０】
上記グリセリンと、２種以上の脂肪酸とのトリエステルとしては、たとえば、グリセリンと、オクタン酸（Ｃ8）およびデカン酸（Ｃ10）とのトリエステル、グリセリンと、オクタン酸（Ｃ8）、デカン酸（Ｃ10）およびドデカン酸（Ｃ12）とのトリエステル、グリセリンと、オクタン酸（Ｃ8）、デカン酸（Ｃ10）、ドデカン酸（Ｃ12）、テトラデカン酸（Ｃ14）、ヘキサデカン酸（Ｃ16）およびオクタデカン酸（Ｃ18）とのトリエステル等が挙げられる。
【００６１】
上記グリセリンと脂肪酸とのトリエステルとしては、融点を約４５℃以下とするために、グリセリンと脂肪酸とのトリエステルを構成する脂肪酸の炭素数の合計、すなわち、式（５）において、Ｒ5Ｃ、Ｒ6ＣおよびＲ7Ｃ部分の炭素数の合計が、約４０以下であることが好ましい。
【００６２】
また、上記グリセリンと脂肪酸とのトリエステルでは、グリセリンと脂肪酸とのトリエステルを構成する脂肪酸の炭素数の合計、すなわち、式（５）において、Ｒ5Ｃ、Ｒ6ＣおよびＲ7Ｃ部分の炭素数の合計が１２の場合にＩＯＢが０．６０となる。したがって、上記グリセリンと脂肪酸とのトリエステルでは、脂肪酸の炭素数の合計が約１２以上である場合に、ＩＯＢが約０〜約０．６の要件を満たす。
上記グリセリンと脂肪酸とのトリエステルは、いわゆる、脂肪であり、人体を構成しうる成分であるため、安全性の観点から好ましい。
【００６３】
上記グリセリンと脂肪酸とのトリエステルの市販品としては、トリヤシ油脂肪酸グリセリド、ＮＡ３６、パナセート８００、パナセート８００Ｂおよびパナセート８１０Ｓ、並びにトリＣ２Ｌ油脂肪酸グリセリドおよびトリＣＬ油脂肪酸グリセリド（以上、日油株式会社製）等が挙げられる。
【００６４】
上記グリセリンと脂肪酸とのジエステルは、ジグリセリドとも称され、たとえば、グリセリンとデカン酸（Ｃ10）とのジエステル、グリセリンとドデカン酸（Ｃ12）とのジエステル、グリセリンとヘキサデカン酸（Ｃ16）とのジエステル、およびグリセリンと、２種の脂肪酸とのジエステル、並びにこれらの混合物が挙げられる。
上記グリセリンと脂肪酸とのジエステルでは、グリセリンと脂肪酸とのジエステルを構成する脂肪酸の炭素数の合計、すなわち、式（６）において、Ｒ5ＣおよびＲ6Ｃ部分の炭素数の合計が１６の場合にＩＯＢが０．５８となる。したがって、上記グリセリンと脂肪酸とのジエステルでは、脂肪酸の炭素数の合計が約１６以上である場合に、ＩＯＢが約０〜約０．６の要件を満たす。
【００６５】
上記グリセリンと脂肪酸とのモノエステルは、モノグリセリドとも称され、たとえば、グリセリンのオクタデカン酸（Ｃ18）モノエステル、グリセリンのドコサン酸（Ｃ22）モノエステル等が挙げられる。
上記グリセリンと脂肪酸とのモノエステルでは、グリセリンと脂肪酸とのモノエステルを構成する脂肪酸の炭素数、すなわち、式（７）において、Ｒ5Ｃ部分の炭素数が１９の場合にＩＯＢが０．５９となる。したがって、上記グリセリンと脂肪酸とのモノエステルでは、脂肪酸の炭素数が約１９以上である場合に、ＩＯＢが約０〜約０．６の要件を満たす。
【００６６】
［（Ａ3）鎖状炭化水素ジオールと脂肪酸とのエステル］
上記鎖状炭化水素ジオールと脂肪酸とのエステルとしては、たとえば、Ｃ2〜Ｃ6の鎖状炭化水素ジオール、たとえば、Ｃ2〜Ｃ6のグリコール、たとえば、エチレングリコール、プロピレングリコール、ブチレングリコール、ペンチレングリコールまたはヘキシレングリコールと、脂肪酸とのモノエステルまたはジエステルが挙げられる。
【００６７】
具体的には、上記鎖状炭化水素ジオールと脂肪酸とのエステルとしては、たとえば、次の式（８）：
Ｒ8ＣＯＯＣkＨ2kＯＣＯＲ9  （８）
（式中、ｋは、２〜６の整数であり、そしてＲ8およびＲ9は、それぞれ、鎖状炭化水素である）
のＣ2〜Ｃ6グリコールと脂肪酸とのジエステル、および次の式（９）：
Ｒ8ＣＯＯＣkＨ2kＯＨ  （９）
（式中、ｋは、２〜６の整数であり、そしてＲ8は、鎖状炭化水素である）
のＣ2〜Ｃ6グリコールと脂肪酸とのモノエステルが挙げられる。
【００６８】
上記Ｃ2〜Ｃ6グリコールと脂肪酸とのエステルにおいて、エステル化すべき脂肪酸（式（８）および式（９）において、Ｒ8ＣＯＯＨおよびＲ9ＣＯＯＨに相当する）としては、Ｃ2〜Ｃ6グリコールと脂肪酸とのエステルが、上記ＩＯＢ、融点および水溶解度の要件を満たすものであれば、特に制限されず、たとえば、「（Ａ1）鎖状炭化水素テトラオールと脂肪酸とのエステル」において列挙されている脂肪酸、すなわち、飽和脂肪酸および不飽和脂肪酸が挙げられ、酸化等により変性する可能性を考慮すると、飽和脂肪酸が好ましい。
【００６９】
式（８）に示されるブチレングリコール（ｋ＝４）と脂肪酸とのジエステルでは、Ｒ8ＣおよびＲ9Ｃ部分の炭素数の合計が６の場合に、ＩＯＢが、０．６となる。したがって、式（８）に示されるブチレングリコール（ｋ＝４）と脂肪酸とのジエステルでは、上記炭素数の合計が約６以上の場合に、ＩＯＢが約０〜約０．６の要件を満たす。また、式（９）に示されるエチレングリコール（ｋ＝２）と脂肪酸とのモノエステルでは、Ｒ8Ｃ部分の炭素数が１２の場合に、ＩＯＢが０．５７となる。したがって、式（９）に示されるエチレングリコール（ｋ＝２）と脂肪酸とのモノエステルでは、脂肪酸の炭素数が約１２以上である場合に、ＩＯＢが約０〜約０．６の要件を満たす。
【００７０】
上記Ｃ2〜Ｃ6グリコールと脂肪酸とのエステルとしては、酸化等により変性する可能性を考慮すると、飽和脂肪酸に由来する、Ｃ2〜Ｃ6グリコールと脂肪酸とのエステル、すわなち、Ｃ2〜Ｃ6グリコールと飽和脂肪酸とのエステルであることが好ましい。
【００７１】
また、上記Ｃ2〜Ｃ6グリコールと脂肪酸とのエステルとしては、ＩＯＢを小さくし、より疎水性とするために、炭素数の大きいグリコールに由来する、グリコールと脂肪酸とのエステル、たとえば、ブチレングリコール、ペンチレングリコールまたはヘキシレングリコールに由来するグリコールと脂肪酸とのエステルであることが好ましい。
さらに、上記Ｃ2〜Ｃ6グリコールと脂肪酸とのエステルとしては、ＩＯＢを小さくし、より疎水性とするために、ジエステルであることが好ましい。
上記Ｃ2〜Ｃ6グリコールと脂肪酸とのエステルの市販品としては、たとえば、コムポールＢＬ、コムポールＢＳ（以上、日油株式会社製）等が挙げられる。
【００７２】
［（Ｂ）２〜４個のヒドロキシル基を有する化合物と、１個のヒドロキシル基を有する化合物とのエーテル］
（Ｂ）２〜４個のヒドロキシル基を有する化合物と、１個のヒドロキシル基を有する化合物とのエーテル（以下、「化合物（Ｂ）」と称する場合がある）には、４個、３個、または２個のヒドロキシル基を有する化合物と、１個のヒドロキシル基を有する化合物とのエーテルが含まれ、上述のＩＯＢ、融点および水溶解度を有する範囲にある限り、全てのヒドロキシル基がエーテル化されていなくともよい。
【００７３】
上記２〜４個のヒドロキシル基を有する化合物としては、「化合物（Ａ）」において列挙されるもの、たとえば、ペンタエリトリトール、グリセリン、およびグリコールが挙げられる。
上記１個のヒドロキシル基を有する化合物としては、たとえば、炭化水素の１個の水素原子が、１個のヒドロキシル基（−ＯＨ）で置換された化合物、たとえば、脂肪族１価アルコール、たとえば、飽和脂肪族１価アルコールおよび不飽和脂肪族１価アルコールが挙げられる。
【００７４】
上記飽和脂肪族１価アルコールとしては、たとえば、Ｃ1〜Ｃ20の飽和脂肪族１価アルコール、たとえば、メチルアルコール（Ｃ1）（Ｃ1は、炭素数を示す、以下同じ）、エチルアルコール（Ｃ2）、プロピルアルコール（Ｃ3）およびその異性体、たとえば、イソプロピルアルコール（Ｃ3）、ブチルアルコール（Ｃ4）およびその異性体、たとえば、ｓｅｃ−ブチルアルコール（Ｃ4）およびｔｅｒｔ−ブチルアルコール（Ｃ4）、ペンチルアルコール（Ｃ5）、ヘキシルアルコール（Ｃ6）、ヘプチルアルコール（Ｃ7）、オクチルアルコール（Ｃ8）およびその異性体、たとえば、２−エチルヘキシルアルコール（Ｃ8）、ノニルアルコール（Ｃ9）、デシルアルコール（Ｃ10）、ドデシルアルコール（Ｃ12）、テトラデシルアルコール（Ｃ14）、ヘキサデシルアルコール（Ｃ16）、へプラデシルアルコール（Ｃ17）、オクタデシルアルコール（Ｃ18）、およびエイコシルアルコール（Ｃ20）、並びにこれらの列挙されていない異性体が挙げられる。
上記不飽和脂肪族１価アルコールとしては、上記飽和脂肪族１価アルコールのＣ−Ｃ単結合の１つを、Ｃ＝Ｃ二重結合で置換したもの、たとえば、オレイルアルコールが挙げられ、たとえば、新日本理化株式会社から、リカコールシリーズおよびアンジェコオールシリーズの名称で市販されている。
【００７５】
化合物（Ｂ）としては、たとえば、（Ｂ1）鎖状炭化水素テトラオールと脂肪族１価アルコールとのエーテル、たとえば、モノエーテル、ジエーテル、トリエーテルおよびテトラエーテル、好ましくはジエーテル、トリエーテルおよびテトラエーテル、より好ましくはトリエーテルおよびテトラエーテル、そしてさらに好ましくはテトラエーテル、（Ｂ2）鎖状炭化水素トリオールと脂肪族１価アルコールとのエーテル、たとえば、モノエーテル、ジエーテルおよびトリエーテル、好ましくはジエーテルおよびトリエーテル、そしてより好ましくはトリエーテル、並びに（Ｂ3）鎖状炭化水素ジオールと脂肪族１価アルコールとのエーテル、たとえば、モノエーテルおよびジエーテル、そして好ましくはジエーテルが挙げられる。
【００７６】
上記鎖状炭化水素テトラオールと脂肪族１価アルコールとのエーテルとしては、たとえば、次の式（１０）〜（１３）：
【化８】
0005745377.tif 000010
（式中、Ｒ10〜Ｒ13は、それぞれ、鎖状炭化水素である。）
の、ペンタエリトリトールと脂肪族１価アルコールとのテトラエーテル、トリエーテル、ジエーテルおよびモノエーテルが挙げられる。
【００７７】
上記鎖状炭化水素トリオールと脂肪族１価アルコールとのエーテルとしては、たとえば、次の式（１４）〜（１６）：
【化９】
0005745377.tif 000011
（式中、Ｒ14〜Ｒ16は、それぞれ、鎖状炭化水素である。）
の、グリセリンと脂肪族１価アルコールとのトリエーテル、ジエーテルおよびモノエーテルが挙げられる。
【００７８】
上記鎖状炭化水素ジオールと脂肪族１価アルコールとのエーテルとしては、次の式（１７）：
Ｒ17ＯＣnＨ2nＯＲ18  （１７）
（式中、ｎは、２〜６の整数であり、そしてＲ17およびＲ18は、それぞれ、鎖状炭化水素である）
のＣ2〜Ｃ6グリコールと脂肪族１価アルコールとのジエーテル、および次の式（１８）：
Ｒ17ＯＣnＨ2nＯＨ  （１８）
（式中、ｎは、２〜６の整数であり、そしてＲ17は、鎖状炭化水素である）
のＣ2〜Ｃ6グリコールと脂肪族１価アルコールとのモノエーテルが挙げられる。
【００７９】
上記ペンタエリトリトールと脂肪族１価アルコールとのテトラエーテルでは、ペンタエリトリトールと脂肪族１価アルコールとのテトラエーテルを構成する脂肪族１価アルコールの炭素数の合計、すなわち、上記式（１０）において、Ｒ10、Ｒ11、Ｒ12およびＲ13部分の炭素数の合計が４の場合にＩＯＢが０．４４となる。したがって、上記ペンタエリトリトールと脂肪族１価アルコールとのテトラエーテルでは、脂肪族１価アルコールの炭素数の合計が約４以上である場合に、ＩＯＢが約０〜約０．６の要件を満たす。
【００８０】
上記ペンタエリトリトールと脂肪族１価アルコールとのトリエーテルでは、ペンタエリトリトールと脂肪族１価アルコールとのトリエーテルを構成する脂肪族１価アルコールの炭素数の合計、すなわち、上記式（１１）において、Ｒ10、Ｒ11およびＲ12部分の炭素数の合計が９の場合にＩＯＢが０．５７となる。したがって、上記ペンタエリトリトールと脂肪族１価アルコールとのトリエーテルでは、脂肪族１価アルコールの炭素数の合計が約９以上である場合に、ＩＯＢが約０〜約０．６の要件を満たす。
【００８１】
上記ペンタエリトリトールと脂肪族１価アルコールとのジエーテルでは、ペンタエリトリトールと脂肪族１価アルコールとのジエーテルを構成する脂肪族１価アルコールの炭素数の合計、すなわち、上記式（１２）において、Ｒ10およびＲ11部分の炭素数の合計が１５の場合にＩＯＢが０．６０となる。したがって、上記ペンタエリトリトールと脂肪族１価アルコールとのジエーテルでは、脂肪族１価アルコールの炭素数の合計が約１５以上である場合に、ＩＯＢが約０〜約０．６の要件を満たす。
【００８２】
上記ペンタエリトリトールと脂肪族１価アルコールとのモノエーテルでは、ペンタエリトリトールと脂肪族１価アルコールとのモノエーテルを構成する脂肪族１価アルコールの炭素数、すなわち、上記式（１３）において、Ｒ10部分の炭素数が２２の場合にＩＯＢが０．５９となる。したがって、上記ペンタエリトリトールと脂肪族１価アルコールとのモノエーテルでは、脂肪族１価アルコールの炭素数が約２２以上である場合に、ＩＯＢが約０〜約０．６の要件を満たす。
【００８３】
また、上記グリセリンと脂肪族１価アルコールとのトリエーテルでは、グリセリンと脂肪族１価アルコールとのトリエーテルを構成する脂肪族１価アルコールの炭素数の合計、すなわち、式（１４）において、Ｒ14、Ｒ15およびＲ16部分の炭素数の合計が３の場合にＩＯＢが０．５０となる。したがって、上記グリセリンと脂肪族１価アルコールとのトリエーテルでは、脂肪族１価アルコールの炭素数の合計が約３以上である場合に、ＩＯＢが約０〜約０．６の要件を満たす。
【００８４】
上記グリセリンと脂肪族１価アルコールとのジエーテルでは、グリセリンと脂肪族１価アルコールとのジエーテルを構成する脂肪族１価アルコールの炭素数の合計、すなわち、式（１５）において、Ｒ14およびＲ15部分の炭素数の合計が９の場合にＩＯＢが０．５８となる。したがって、上記グリセリンと脂肪族１価アルコールとのジエーテルでは、脂肪族１価アルコールの炭素数の合計が約９以上である場合に、ＩＯＢが約０〜約０．６の要件を満たす。
【００８５】
上記グリセリンと脂肪族１価アルコールとのモノエーテルでは、グリセリンと脂肪族１価アルコールとのモノエーテルを構成する脂肪族１価アルコールの炭素数、すなわち、式（１６）において、Ｒ14部分の炭素数が１６の場合にＩＯＢが０．５８となる。したがって、上記グリセリンと脂肪族１価アルコールとのモノエーテルでは、脂肪族１価アルコールの炭素数が約１６以上である場合に、ＩＯＢが約０〜約０．６の要件を満たす。
【００８６】
式（１７）に示されるブチレングリコール（ｎ＝４）と脂肪族１価アルコールとのジエーテルでは、Ｒ17およびＲ18部分の炭素数の合計が２の場合に、ＩＯＢが、０．３３となる。したがって、式（１７）に示されるブチレングリコール（ｎ＝４）と脂肪族１価アルコールとのジエーテルでは、脂肪族１価アルコールの炭素数の合計が２以上の場合に、ＩＯＢが約０〜約０．６の要件を満たす。また、式（１８）に示されるエチレングリコール（ｎ＝２）と脂肪族１価アルコールとのモノエーテルでは、Ｒ17部分の炭素数が８の場合に、ＩＯＢが０．６０となる。したがって、式（１８）に示されるエチレングリコール（ｎ＝２）と脂肪族１価アルコールとのモノエーテルでは、脂肪族１価アルコールの炭素数が約８以上である場合に、ＩＯＢが約０〜約０．６の要件を満たす。
【００８７】
化合物（Ｂ）としては、２〜４個のヒドロキシル基を有する化合物と、脂肪族１価アルコール等の１個のヒドロキシル基を有する化合物とを、酸触媒の存在下で、脱水縮合することにより生成することができる。
【００８８】
［（Ｃ）２〜４個のカルボキシル基を有する化合物と、１個のヒドロキシル基を有する化合物とのエステル］
（Ｃ）２〜４個のカルボキシル基を有する化合物と、１個のヒドロキシル基を有する化合物とのエステル（以下、「化合物（Ｃ）」と称する場合がある）には、４個、３個または２個のカルボキシル基を有する化合物と、１個のヒドロキシル基を有する化合物とのエステルが含まれ、上述のＩＯＢ、融点および水溶解度を有する範囲にある限り、全てのカルボキシル基がエステル化されていなくともよい。
【００８９】
上記２〜４個のカルボキシル基を有する化合物としては、たとえば、２〜４個のカルボキシル基を有する鎖状炭化水素、たとえば、鎖状炭化水素ジカルボン酸、たとえば、アルカンジカルボン酸、たとえば、エタン二酸、プロパン二酸、ブタン二酸、ペンタン二酸、ヘキサン二酸、ヘプタン二酸、オクタン二酸、ノナン二酸およびデカン二酸、鎖状炭化水素トリカルボン酸、たとえば、アルカントリカルボン酸、たとえば、プロパン三酸、ブタン三酸、ペンタン三酸、ヘキサン三酸、ヘプタン三酸、オクタン三酸、ノナン三酸およびデカン三酸、並びに鎖状炭化水素テトラカルボン酸、たとえば、アルカンテトラカルボン酸、たとえば、ブタン四酸、ペンタン四酸、ヘキサン四酸、ヘプタン四酸、オクタン四酸、ノナン四酸およびデカン四酸が挙げられる。
【００９０】
また、上記２〜４個のカルボキシル基を有する化合物には、２〜４個のカルボキシル基を有するヒドロキシ酸、たとえば、リンゴ酸、酒石酸、クエン酸、イソクエン酸等、２〜４個のカルボキシル基を有するアルコキシ酸、たとえば、Ｏ−アセチルクエン酸、および２〜４個のカルボキシル基を有するオキソ酸が含まれる。
上記１個のヒドロキシル基を有する化合物としては、「化合物（Ｂ）」の項で列挙されるもの、たとえば、脂肪族１価アルコールが挙げられる。
【００９１】
化合物（Ｃ）としては、（Ｃ1）４個のカルボキシル基を有する鎖状炭化水素テトラカルボン酸、ヒドロキシ酸、アルコキシ酸またはオキソ酸と、脂肪族１価アルコールとのエステル、たとえば、モノエステル、ジエステル、トリエステルおよびテトラエステル、好ましくはジエステル、トリエステルおよびテトラエステル、より好ましくはトリエステルおよびテトラエステル、そしてさらに好ましくはテトラエステル、（Ｃ2）３個のカルボキシル基を有する鎖状炭化水素トリカルボン酸、ヒドロキシ酸、アルコキシ酸またはオキソ酸と、脂肪族１価アルコールとのエステル、たとえば、モノエステル、ジエステルおよびトリエステル、好ましくはジエステルおよびトリエステル、そしてより好ましくはトリエステル、並びに（Ｃ3）２個のカルボキシル基を有する鎖状炭化水素ジカルボン酸、ヒドロキシ酸、アルコキシ酸またはオキソ酸と、脂肪族１価アルコールとのエステル、たとえば、モノエステルおよびジエステル、好ましくはジエステルが挙げられる。
化合物（Ｃ）の例としては、アジピン酸ジオクチル、リンゴ酸ジイソステアリル、クエン酸トリブチル、Ｏ−アセチルクエン酸トリブチル等が挙げられ、そして市販されている。
【００９２】
［（Ｄ）炭化水素に、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つが挿入された化合物］
（Ｄ）炭化水素に、エーテル結合（−Ｏ−）、カルボニル結合（−ＣＯ−）、エステル結合（−ＣＯＯ−）、およびカーボネート結合（−ＯＣＯＯ−）から成る群から選択されるいずれか１つが挿入された化合物（以下、「化合物（Ｄ）」と称する場合がある）としては、（Ｄ1）脂肪族１価アルコールと脂肪族１価アルコールとのエーテル、（Ｄ2）ジアルキルケトン、（Ｄ3）脂肪酸と脂肪族１価アルコールとのエステル、および（Ｄ4）ジアルキルカーボネートが挙げられる。
【００９３】
［（Ｄ1）脂肪族１価アルコールと脂肪族１価アルコールとのエーテル］
上記脂肪族１価アルコールと脂肪族１価アルコールとのエーテルとしては、次の式（１９）：
Ｒ19ＯＲ20    （１９）
（式中、Ｒ19およびＲ20は、それぞれ、鎖状炭化水素である）
を有する化合物が挙げられる。
【００９４】
上記エーテルを構成する脂肪族１価アルコール（式（１９）において、Ｒ19ＯＨおよびＲ20ＯＨに相当する）としては、上記エーテルが、上記ＩＯＢ、融点および水溶解度の要件を満たすものであれば、特に制限されず、たとえば、「化合物（Ｂ）」の項で列挙される脂肪族１価アルコールが挙げられる。
【００９５】
脂肪族１価アルコールと脂肪族１価アルコールとのエーテルでは、当該エーテルを構成する脂肪族１価アルコールの炭素数の合計、すなわち、上記式（１９）において、Ｒ19およびＲ20部分の炭素数の合計が２の場合にＩＯＢが０．５０となるため、当該炭素数の合計が約２以上であれば、上記ＩＯＢの要件を満たす。しかし、上記炭素数の合計が６程度では、水溶解度が約２ｇと高く、蒸気圧の観点からも問題がある。水溶解度が約０．０５ｇ以下の要件を満たすためには、上記炭素数の合計が約８以上であることが好ましい。
【００９６】
［（Ｄ2）ジアルキルケトン］
上記ジアルキルケトンとしては、次の式（２０）：
Ｒ21ＣＯＲ22    （２０）
（式中、Ｒ21およびＲ22は、それぞれ、アルキル基である）
を有する化合物が挙げられる。
【００９７】
上記ジアルキルケトンでは、Ｒ21およびＲ22の炭素数の合計が５の場合にＩＯＢが０．５４となるため、当該炭素数の合計が約５以上であれば、上記ＩＯＢの要件を満たす。しかし、上記炭素数の合計が５程度では、水溶解度が約２ｇと高い。したがって、水溶解度が約０．０５ｇ以下の要件を満たすためには、上記炭素数の合計が約８以上であることが好ましい。また、蒸気圧を考慮すると、上記炭素数は、約１０以上であることが好ましく、そして約１２以上であることが好ましい。
なお、上記炭素数の合計が約８の場合、たとえば、５−ノナノンでは、融点は約−５０℃であり、蒸気圧は２０℃で約２３０Ｐａである。
上記ジアルキルケトンは、市販されている他、公知の方法、たとえば、第二級アルコールを、クロム酸等で酸化することにより得ることができる。
【００９８】
［（Ｄ3）脂肪酸と脂肪族１価アルコールとのエステル］
上記脂肪酸と脂肪族１価アルコールとのエステルとしては、たとえば、次の式（２１）：
Ｒ23ＣＯＯＲ24  （２１）
（式中、Ｒ23およびＲ24は、それぞれ、鎖状炭化水素である）
を有する化合物が挙げられる。
【００９９】
上記エステルを構成する脂肪酸（式（２１）において、Ｒ23ＣＯＯＨに相当する）としては、たとえば、「（Ａ1）鎖状炭化水素テトラオールと脂肪酸とのエステル」において列挙されている脂肪酸、すなわち、飽和脂肪酸または不飽和脂肪酸が挙げられ、酸化等により変性する可能性を考慮すると、飽和脂肪酸が好ましい。上記エステルを構成する脂肪族１価アルコール（式（２１）において、Ｒ24ＯＨに相当する）としては、たとえば、「化合物（Ｂ）」の項で列挙される脂肪族１価アルコールが挙げられる。
【０１００】
なお、上記脂肪酸と脂肪族１価アルコールとのエステルでは、脂肪酸および脂肪族１価アルコールの炭素数の合計、すなわち、式（２１）において、Ｒ23ＣおよびＲ24部分の炭素数の合計が５の場合にＩＯＢが０．６０となるため、上記脂肪酸と脂肪族１価アルコールとのエステルでは、Ｒ23ＣおよびＲ24部分の炭素数の合計が約５以上である場合に、上記ＩＯＢの要件を満たす。しかし、たとえば、上記炭素数の合計が６の酢酸ブチルでは、蒸気圧が２０００Ｐａ超と高い。したがって、蒸気圧を考慮すると、上記炭素数の合計が約１２以上であることが好ましい。なお、上記炭素数の合計が約１１以上であれば、水溶解度が約０．０５ｇ以下の要件を満たすことができる。
【０１０１】
上記脂肪酸と脂肪族１価アルコールとのエステルの例としては、たとえば、ドデカン酸（Ｃ12）と、ドデシルアルコール（Ｃ12）とのエステル、テトラデカン酸（Ｃ14）と、ドデシルアルコール（Ｃ12）とのエステル等が挙げられ、上記脂肪酸と脂肪族１価アルコールとのエステルの市販品としては、たとえば、エレクトールＷＥ２０、およびエレクトールＷＥ４０（以上、日油株式会社製）が挙げられる。
【０１０２】
［（Ｄ4）ジアルキルカーボネート］
上記ジアルキルカーボネートとしては、次の式（２２）：
Ｒ25ＯＣ（＝Ｏ）ＯＲ26    （２２）
（式中、Ｒ25およびＲ26は、それぞれ、アルキル基である）
を有する化合物が挙げられる。
【０１０３】
上記ジアルキルカーボネートでは、Ｒ25およびＲ26の炭素数の合計が６の場合にＩＯＢが０．５７となるため、Ｒ25およびＲ26の炭素数の合計が、約６以上であれば、ＩＯＢの要件を満たす。
水溶解度を考慮すると、Ｒ25およびＲ26の炭素数の合計が約７以上であることが好ましく、そして約９以上であることがより好ましい。
上記ジアルキルカーボネートは、市販されている他、ホスゲンとアルコールとの反応、塩化ギ酸エステルとアルコールまたはアルコラートとの反応、および炭酸銀とヨウ化アルキルとの反応により合成することができる。
【０１０４】
［（Ｅ）ポリＣ2~6アルキレングリコール、またはそのエステルもしくはエーテル］
上記ポリＣ2~6アルキレングリコール、またはそのエステルもしくはエーテル（以下、化合物（Ｅ）と称する場合がある）としては、（Ｅ1）ポリＣ2~6アルキレングリコール、（Ｅ2）ポリＣ2~6アルキレングリコールと脂肪酸とのエステル、（Ｅ3）ポリＣ2~6アルキレングリコールと脂肪族１価アルコールとのエーテル、（Ｅ4）ポリＣ2~6アルキレングリコールと、鎖状炭化水素テトラカルボン酸、鎖状炭化水素トリカルボン酸、または鎖状炭化水素ジカルボン酸とのエステル、および（Ｅ5）ポリＣ2~6アルキレングリコールと、鎖状炭化水素テトラオール、鎖状炭化水素トリオール、または鎖状炭化水素ジオールとのエーテルが挙げられる。以下、説明する。
【０１０５】
［（Ｅ1）ポリＣ2~6アルキレングリコール］
（Ｅ1）ポリＣ2~6アルキレングリコールには、単一のグリコールのホモポリマーだけでなく、２種以上のグリコールのコポリマーおよびランダムポリマーも含まれる。グリコール種としては、Ｃ2~6アルキレングリコール、すなわち、エチレングリコール、プロピレングリコール、ブチレングリコール、ペンチレングリコール、またはヘキシレングリコールが挙げられる。上記グリコール種としては、ポリＣ2~6アルキレングリコールのＩＯＢを低くする観点から、プロピレングリコール、ブチレングリコール、ペンチレングリコールまたはヘキシレングリコールであることが好ましく、ブチレングリコール、ペンチレングリコールまたはヘキシレングリコールであることがより好ましい。
【０１０６】
なお、本明細書において、「ポリＣ2~6アルキレングリコール」は、Ｃ2~6アルキレングリコール、すなわち、エチレングリコール、プロピレングリコール、ブチレングリコール、ペンチレングリコールおよびヘキシレングリコールから成る群から選択されるいずれか１種のホモポリマー、上記群から選択される２種以上のコポリマー、または上記群から選択される２種以上のランダムポリマーを意味する。
【０１０７】
上記ポリＣ2~6アルキレングリコールがホモポリマーである場合には、ポリＣ2~6アルキレングリコールは、次の式（２３）：
ＨＯ−（ＣmＨ2mＯ）n−Ｈ      （２３）
により表わされる。
【０１０８】
なお、本発明者が確認したところ、ポリエチレングリコール（式（２３）において、ｍ＝２の場合に相当する）は、ｎ≧４５（おおよそ、分子量２，０００超）の場合に、約０〜約０．６０のＩＯＢの要件を満たすものの、分子量が４，０００を超えた場合であっても、水溶解度の要件を満たさなかった。したがって、（Ｅ1）ポリＣ2~6アルキレングリコールには、エチレングリコールのホモポリマーは含まれないと考えられ、エチレングリコールは、他のグリコールとのコポリマーまたはランダムポリマーとして、（Ｅ1）ポリＣ2~6アルキレングリコールに含まれるべきである。
【０１０９】
したがって、式（２３）のホモポリマーには、プロピレングリコール、ブチレングリコール、ペンチレングリコールまたはヘキシレングリコールのホモポリマーが含まれうる。
以上より、式（２３）において、ｍは、約３〜約６であり、そして約４〜約６であることがより好ましく、そしてｎは１以上である。
【０１１０】
上記式（２３）において、ｎの値は、ポリＣ2~6アルキレングリコールが、約０〜約０．６０のＩＯＢと、約４５℃以下の融点と、２５℃の水１００ｇに対する、約０．０５ｇ以下の水溶解度とを有するような値である。
たとえば、式（２３）がポリプロピレングリコール（ｍ＝３）である場合には、ｎ＝１２の場合に、ＩＯＢが０．５８となる。したがって、式（２３）がポリプロピレングリコール（ｍ＝３）である場合には、ｍ≧約１２の場合に、上記ＩＯＢの要件を満たす。
また、式（２１）がポリブチレングリコール（ｍ＝４）である場合には、ｎ＝７の場合に、ＩＯＢが０．５７となる。したがって、式（２３）がポリブチレングリコール（ｍ＝４）である場合には、ｎ≧約７の場合に、上記ＩＯＢの要件を満たす。
【０１１１】
ＯＢ、融点および水溶解度の観点から、ポリＣ4~6アルキレングリコールの重量平均分子量は、好ましくは約２００〜約１０，０００、より好ましくは約２５０〜約８，０００、そしてさらに好ましくは、約２５０〜約５，０００の範囲にある。
また、ＯＢ、融点および水溶解度の観点から、ポリＣ3アルキレングリコール、すなわち、ポリプロピレングリコールの重量平均分子量は、好ましくは約１，０００〜約１０，０００、より好ましくは約３，０００〜約８，０００、そしてさらに好ましくは、約４，０００〜約５，０００の範囲にある。上記重量平均分子量が約１，０００未満では、水溶解度が要件を満たさず、そして重量平均分子量が大きいほど、特に、吸収体移行速度およびトップシートの白さが向上する傾向があるからである。
【０１１２】
上記ポリＣ2~6アルキレングリコールの市販品としては、たとえば、ユニオール（商標）Ｄ−１０００，Ｄ−１２００，Ｄ−２０００，Ｄ−３０００，Ｄ−４０００，ＰＢ−５００，ＰＢ−７００，ＰＢ−１０００およびＰＢ−２０００（以上、日油株式会社製）が挙げられる。
【０１１３】
［（Ｅ2）ポリＣ2~6アルキレングリコールと脂肪酸とのエステル］
上記ポリＣ2~6アルキレングリコールと脂肪酸とのエステルとしては、「（Ｅ1）ポリＣ2~6アルキレングリコール」の項で説明したポリＣ2~6アルキレングリコールのＯＨ末端の一方または両方が、脂肪酸によりエステル化されているもの、すなわち、モノエステルおよびジエステルが挙げられる。
【０１１４】
ポリＣ2~6アルキレングリコールと脂肪酸とのエステルにおいて、エステル化すべき脂肪酸としては、たとえば、「（Ａ1）鎖状炭化水素テトラオールと脂肪酸とのエステル」において列挙されている脂肪酸、すなわち、飽和脂肪酸または不飽和脂肪酸が挙げられ、酸化等により変性する可能性を考慮すると、飽和脂肪酸が好ましい。
上記ポリＣ3~6アルキレングリコールと脂肪酸とのエステルの市販品としては、たとえば、ウィルブライトｃｐ９（日油株式会社製）が挙げられる。
【０１１５】
［（Ｅ3）ポリＣ2~6アルキレングリコールと脂肪族１価アルコールとのエーテル］
上記ポリＣ2~6アルキレングリコールと脂肪族１価アルコールとのエーテルとしては、「（Ｅ1）ポリＣ2~6アルキレングリコール」の項で説明したポリＣ2~6アルキレングリコールのＯＨ末端の一方または両方が、脂肪族１価アルコールによりエーテル化されているもの、すなわち、モノエーテルおよびジエーテルが挙げられる。
ポリＣ2~6アルキレングリコールと脂肪族１価アルコールとのエーテルにおいて、エーテル化すべき脂肪族１価アルコールとしては、たとえば、「化合物（Ｂ）」の項で列挙されている脂肪族１価アルコールが挙げられる。
【０１１６】
［（Ｅ4）ポリＣ2~6アルキレングリコールと、鎖状炭化水素テトラカルボン酸、鎖状炭化水素トリカルボン酸、または鎖状炭化水素ジカルボン酸とのエステル］
上記ポリＣ2~6アルキレングリコールと、鎖状炭化水素テトラカルボン酸、鎖状炭化水素トリカルボン酸、または鎖状炭化水素ジカルボン酸とのエステルにおいて、エステル化すべきポリＣ2~6アルキレングリコールとしては、「（Ｅ1）ポリＣ2~6アルキレングリコール」の項で説明したポリＣ2~6アルキレングリコールが挙げられる。また、エステル化すべき鎖状炭化水素テトラカルボン酸、鎖状炭化水素トリカルボン酸、および鎖状炭化水素ジカルボン酸としては、「化合物（Ｃ）」の項で説明されるものが挙げられる。
【０１１７】
上記ポリＣ2~6アルキレングリコールと、鎖状炭化水素テトラカルボン酸、鎖状炭化水素トリカルボン酸、または鎖状炭化水素ジカルボン酸とのエステルは、市販されているほか、鎖状炭化水素テトラカルボン酸、鎖状炭化水素トリカルボン酸、または鎖状炭化水素ジカルボン酸に、Ｃ2~6アルキレングリコールを、公知の条件で重縮合させることにより製造することができる。
【０１１８】
［（Ｅ5）ポリＣ2~6アルキレングリコールと、鎖状炭化水素テトラオール、鎖状炭化水素トリオール、または鎖状炭化水素ジオールとのエーテル］
上記ポリＣ2~6アルキレングリコールと、鎖状炭化水素テトラオール、鎖状炭化水素トリオール、または鎖状炭化水素ジオールとのエーテルにおいて、エーテル化すべきポリＣ2~6アルキレングリコールとしては、「（Ｅ1）ポリＣ2~6アルキレングリコール」の項で説明したポリＣ2~6アルキレングリコールが挙げられる。また、エーテル化すべき鎖状炭化水素テトラオール、鎖状炭化水素トリオール、および鎖状炭化水素ジオールとしては、「化合物（Ａ）」の項で説明されるもの、たとえば、ペンタエリトリトール、グリセリン、およびグリコールが挙げられる。
【０１１９】
上記ポリＣ2~6アルキレングリコールと、鎖状炭化水素テトラオール、鎖状炭化水素トリオール、または鎖状炭化水素ジオールとのエーテルの市販品としては、たとえば、ユニルーブ（商標）５ＴＰ−３００ＫＢ，並びにユニオール（商標）ＴＧ−３０００およびＴＧ−４０００（日油株式会社製）が挙げられる。
ユニルーブ（商標）５ＴＰ−３００ＫＢは、ペンタエリトリトール１モルに、プロピレングリコール６５モルと、エチレングリコール５モルとを重縮合させた化合物であり、そのＩＯＢは０．３９であり、融点は４５℃未満であり、そして水溶解度は０．０５ｇ未満であった。
【０１２０】
ユニオール（商標）ＴＧ−３０００は、グリセリン１モルに、プロピレングリコール５０モルを重縮合させた化合物であり、そのＩＯＢは０．４２であり、融点は４５℃未満であり、水溶解度は０．０５ｇ未満であり、そして重量平均分子量は約３，０００であった。
ユニオール（商標）ＴＧ−４０００は、グリセリン１モルに、プロピレングリコール７０モルを重縮合させた化合物であり、そのＩＯＢは０．４０であり、融点は４５℃未満であり、水溶解度は０．０５ｇ未満であり、そして重量平均分子量は約４，０００であった。
【０１２１】
上記ポリＣ2~6アルキレングリコールと、鎖状炭化水素テトラオール、鎖状炭化水素トリオール、または鎖状炭化水素ジオールとのエーテルはまた、鎖状炭化水素テトラオール、鎖状炭化水素トリオール、または鎖状炭化水素ジオールに、Ｃ2~6アルキレングリコールを、公知の条件で重縮合させることにより製造することができる。
【０１２２】
［（Ｆ）鎖状炭化水素］
上記鎖状炭化水素は、上記無機性値が０であることから、ＩＯＢが０であり、そして水溶解度がほぼ０ｇであるので、融点が約４５℃以下のものであれば、上記血液改質剤に含まれうる。上記鎖状炭化水素としては、たとえば、（Ｆ1）鎖状アルカン、たとえば、直鎖アルカンおよび分岐鎖アルカンが挙げられ、たとえば、直鎖アルカンの場合には、融点が約４５℃以下であることを考慮すると、おおむね、炭素数が２２以下のものが含まれる。また、蒸気圧を考慮すると、おおむね、炭素数が１３以上のものが含まれる。分岐鎖アルカンの場合には、直鎖アルカンよりも、同一炭素数において、融点が低くなる場合があるため、炭素数が２２以上のものも含まれうる。上記炭化水素の市販品としては、たとえば、パールリーム６（日油株式会社）が挙げられる。
【０１２３】
上記血液改質剤は、実施例とともに詳細に考察するが、血液の粘度および表面張力を下げるメカニズムを有すると考えられる。吸収性物品が吸収すべき経血は、通常の血液と比較して、子宮内膜壁等のタンパク質を含むため、それらが血球同士を繋ぐように作用して、血球が連銭した状態をとりやすい。そのため、吸収性物品が吸収すべき経血は、高粘度となりやすく、トップシートが不織布である場合には、経血が繊維の間に目詰まりしやすく、着用者はベタつき感を覚えやすく、そしてトップシートの表面で経血が拡散し、漏れやすくなる。
【０１２４】
本開示の吸収性物品では、トップシートが、血液の粘度および表面張力を下げるメカニズムを有すると考えられる血液改質剤を含むため、トップシートの繊維の間に経血が目詰まりしにくく、経血をトップシートから吸収体に迅速に移行させることが可能となる。
また、本開示の吸収性物品では、血液改質剤の融点が約４５℃以下であることにより、常温（２５℃）で液体であるか、または固体であるかを問わず、約３０〜約４０℃の体液と接触した際に液化し（または液体であり）、体液に溶解しやすくなると考えられる。
【０１２５】
さらに、ＩＯＢが約０〜約０．６０である血液改質剤は、有機性が高く、血球の間に入り込みやすいので、血球を安定化させ、血球に連銭構造を形成しにくくすることができると考えられる。
上記改質剤が、血球を安定化させ、血球に連銭構造を形成しにくくすることにより、吸収体が経血を吸収しやすくなると考えられる。たとえば、アクリル系高吸収ポリマー、いわゆる、ＳＡＰを含む吸収性物品では、経血を吸収すると、連銭した血球がＳＡＰ表面を覆い、ＳＡＰが吸収性能を発揮しにくくなることが知られているが、血球を安定化することにより、ＳＡＰが吸収性能を発揮しやすくなると考えられる。また、赤血球と親和性の高い血液改質剤が、赤血球膜を保護するため、赤血球が破壊されにくくなると考えられる。
【０１２６】
上記吸収性物品において、トップシートは、上記血液改質剤を、好ましくは約１〜約３０ｇ／ｍ2、より好ましくは約２〜約２０ｇ／ｍ2、そしてさらに好ましくは約３〜約１０ｇ／ｍ2の坪量の範囲で含む。血液改質剤の坪量が、約１ｇ／ｍ2を下回ると血液改質効果が不十分となる傾向があり、そして血液改質剤の坪量が多くなると、着用中のべたべた感が増加する傾向がある。
【０１２７】
上記血液改質剤の塗布方法は、特に制限されるものではなく、必要に応じて加熱され、たとえば、非接触式のコーター、たとえば、スパイラルコーター、カーテンコーター、スプレーコーター、ディップコーター等、接触式のコーター等により塗布されることができる。液滴状または粒子状の改質剤が全体に均一に分散される点、および資材にダメージを与えない観点から、非接触式のコーターが好ましい。また、上記血液改質剤は、室温で液体の場合にはそのまま、または粘度を下げるために加熱し、そして室温で固体の場合には液化するように加熱して、コントロールシームＨＭＡガンから塗布することができる。コントロールシームＨＭＡガンのエアー圧を高くすることにより、微粒子状の血液改質剤を塗布することができる。
【０１２８】
上記血液改質剤は、トップシートを製造する際に塗布されることができ、または吸収性物品を製造する製造ラインにおいて塗布されることもできる。設備投資を抑制する観点からは、吸収性物品の製造ラインにおいて、血液改質剤を塗布することが好ましく、血液改質剤が脱落し、ラインを汚染することを抑制するためには、製造ラインの川下工程、具体的には、製品を個包装に封入する直前に、血液改質剤を塗布することが好ましい。
【０１２９】
トップシートは、親水剤がコーティングされるか、または混合されることにより、親水化処理されていることが好ましい。元々の資材が親水性を有すると、次いで約０〜約０．６０のＩＯＢを有し、有機性が高くかつ親油性の改質剤が塗布されるため、親油性領域と、親水性領域とがまばらに共存することになる。それにより、親水性成分（血漿等）と、親油性成分（血球等）から成る経血に対して、一定の吸収性能を発揮することができると考えられる。
【０１３０】
上記血液改質剤は、約２，０００以下の重量平均分子量を有することが好ましく、そして１，０００以下の重量平均分子量を有することがより好ましい。重量平均分子量が高くなると、血液改質剤の粘度を、塗工に適した粘度に下げることが難しくなり、溶媒で希釈すべき場合が生ずるからである。また、数平均分子量が大きくなると、血液改質剤にタック性が生じ、着用者に不快感を与える場合があるからである。
【０１３１】
図１および図２に示すバックシート３は、吸収体４に吸収された体液が外へ漏れ出すのを防止する。バックシート３には、体液を透過しない材料が使用される。たとえば、バックシート３として、疎水性の不織布、ポリエチレンおよびポリプロピレンなどの不透水性のプラスチックフィルムまたは不織布と不透水性プラスチックフィルムとのラミネートシートなどが使用される。また、耐水性の高いメルトブローン不織布を強度の強いスパンボンド不織布で挟んだＳＭＳ不織布をバックシート３として使用してもよい。体液は通さない通気性を有する材料をバックシート３として使用することにより、着用時のムレを低減させることができる。
【０１３２】
吸収体４は体液を吸収して保持する。吸収体４は、嵩高であり、型崩れし難く、化学的刺激が少ないものであることが好ましい。たとえば、吸収体４として、フラッフ状パルプもしくはエアレイド不織布と高吸収性ポリマー（ＳＡＰ）とからなる複合吸収体が使用される。この複合吸収体は、ティッシュなどの液透過性の材料で覆われていてもよい。
【０１３３】
また、上記複合吸収体のフラッフ状パルプの代わりに、たとえば、化学パルプ、セルロース繊維、レーヨンおよびアセテートなどの人工セルロース繊維を使用してもよい。上記複合吸収体中のパルプなどの吸収性繊維の坪量は、好ましくは１００ｇ／ｍ2以上、８００ｇ／ｍ2以下であり、上記複合吸収体中の高吸収性ポリマーの質量比は、吸収性繊維を１００％として好ましくは１０％以上、６５％以下である。上記複合混合体を覆うティッシュなど液透過性の材料の坪量は、好ましくは１２ｇ／ｍ2以上、３０ｇ／ｍ2以下である。
【０１３４】
上記複合混合体のエアレイド不織布として、たとえば、パルプと合成繊維とを熱融着させた不織布またはパルプと合成繊維とをバインダーで固着させた不織布を使用することができる。
【０１３５】
上記複合吸収体の高吸収性ポリマーは、水溶性高分子が適度に架橋した三次元網目構造を有する。この吸収性ポリマーは、水を吸収する前の吸収性ポリマーの体積に対して３０〜６０倍の水を吸収する。しかし、この吸収性ポリマーは本質的に水不溶性である。また、この吸収性ポリマーは、多少の圧力を加えられても、一旦吸収された水を離水しない。この吸収性ポリマーとして、たとえば、デンプン系、アクリル酸系またはアミノ酸系の粒子状または繊維状のポリマーが使用される。
【０１３６】
吸収体の形状および構造は必要に応じて変えることができるが、吸収体４の全吸収量は、吸収性物品１としての設計挿入量および所望の用途に対応させる必要がある。また、吸収体４のサイズや吸収能力などは用途に対応して変動される。
【０１３７】
ウイング部５は、吸収性物品１を下着に安定して固定するために吸収性物品１に設けられている。ウイング部５を下着の外面側に折り曲げた後、粘着部６を介して下着のクロッチ部に張り付けることによって、吸収性物品１を下着に安定して固定することができる。
【０１３８】
粘着部６は、吸収性物品１を下着のクロッチ部に固定する。粘着部６を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン重合体、スチレン−ブチレン−スチレンブロック共重合体、スチレン−イソブチレン−スチレン共重合体などが挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。
【０１３９】
また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂などが挙げられ、前記可塑剤ではたとえば、リン酸トリフレシル、フタル酸ジブチル、フタル酸ジオクチルなどのモノマー可塑剤の他、ビニル重合体やポリエステルのようなポリマー可塑剤が挙げられる。
【０１４０】
ヒートエンボス加工によりトップシート２をバックシート３に接合させることによって、吸収性物品１の長手方向両側にシール部７が形成される。
【０１４１】
次に、図４を参照して、本発明の第１の実施形態における吸収性物品１のトップシート２Ａの製造方法を説明する。図４は、本発明の第１の実施形態におけるトップシート２Ａの製造方法に使用するトップシート製造装置１００Ａを説明するための図である。トップシート製造装置１００Ａは、凹部成形ロール１２０Ａ、延伸ギアロール１３０および滑剤塗布スプレー１４０を含む。また、トップシート２Ａの製造方法は、樹脂フィルムを用意する工程、凹部形成工程、ギア延伸工程および滑剤塗布工程を含む。
【０１４２】
樹脂フィルムを用意する工程では、不図示の樹脂フィルムのロールから供給された樹脂フィルム１０２Ａを凹部形成ロール１２０Ａに供給する。
【０１４３】
凹部形成工程では、加熱した樹脂フィルム１０２Ａ（図８（ａ）参照）を凹部形成ロール１２０Ａに通過させて、凹部１０４Ａが形成された樹脂フィルム１０３Ａ（図８（ｂ）参照）を作製する。凹部形成ロール１２０Ａは、ローレットロール１２１Ａと平滑な表面を有する予熱ロール１２２Ａとからなる。
【０１４４】
図５（ａ）および（ｂ）は、ローレットロール１２１Ａの一例を示す図である。図５（ａ）は、ローレットロール１２１Ａの全体を示す図であり、図５（ｂ）は、樹脂フィルム１０２Ａが、ローレットロール１２１Ａと平滑な表面を有するロール１２２Ａとの間を通過するときに樹脂フィルム１０２Ａと接するローレットロール１２１Ａの表面の部分１２３Ａを拡大した図である。図５（ｃ）は、平滑な表面を有する予熱ロール１２２Ａの一例を示す図である。ローレットロール１２１Ａの表面１２３Ａには、格子状の凸部１２４Ａが設けられている。これにより、ローレットロール１２１Ａの表面に菱形の凹部１２５Ａが形成される。
【０１４５】
格子状の凸部１２４Ａにおいて平行に並ぶ凸部１２４Ａの中心線間隔、すなわち格子状の凸部１２４Ａのピッチは、好ましくは、０．２ｍｍ以上、１０ｍｍ以下であり、より好ましくは０．４ｍｍ以上、２ｍｍ以下である。格子状の凸部１２４Ａのピッチが０．２ｍｍ未満、または１０ｍｍより大きい場合、樹脂フィルムに凹部が形成されない場合がある。また、格子状の凸部１２４Ａの幅は、好ましくは０．０１ｍｍ以上、１ｍｍ以下であり、より好ましくは０．０３ｍｍ以上、０．１ｍｍ以下である。また、菱形の凹部１２５Ａの一辺の長さは、好ましくは０．１ｍｍ以上、５ｍｍ以下であり、より好ましくは０．２ｍｍ以上、１ｍｍ以下である。格子状の凸部１２４Ａの幅が０．０１ｍｍ未満もしくは１ｍｍより大きい場合、または菱形の凹部１２５Ａの一辺の長さが０．１ｍｍ未満もしくは５ｍｍより大きい場合、樹脂フィルムに凹部が形成されない場合がある。
【０１４６】
平滑な表面を有する予熱ロール１２２Ａは、７０℃以上、１００℃以下の温度に保持されており、供給された樹脂フィルム１０２Ａを加熱する。これにより、樹脂フィルム１０２Ａは柔らかくなり、成形しやすくなる。
【０１４７】
樹脂フィルム１０２Ａが、ローレットロール１２１Ａと平滑な表面を有するロール１２２Ａとの間を通過するとき、格子状の凸部１２４Ａと接する部分では、樹脂フィルム１０２Ａは厚さ方向に圧力を受け、図８（ｂ）に示す略矩形形状の凹部１０４Ａが樹脂フィルム１０２Ａに形成される。なお、ローレットロール１２１Ａの凹部１２５Ａの形状は菱形に限定されず、正方形、長方形、平行四辺形、台形、三角形、六角形などの形状であってもよい。
【０１４８】
ギア延伸工程では、図４に示す延伸ギアロール１３０に、凹部を形成した樹脂フィルム１０３Ａを通過させることによって、突条部２１Ａおよび開口部２５Ａを形成した樹脂フィルム１０５Ａを作製する（図８（ｃ）参照）。図６（ａ）は、延伸ギアロール１３０の上段ギアロール１３１を示す図である。図６（ｂ）は、上段ギアロール１３１の外周面上に配置されたギア歯１３３を説明するための図である。ギア歯１３３は、上段ギアロール１３１の円周方向に延びている。樹脂フィルム１０３Ａ（図８（ｂ）参照）が延伸ギアロール１３０を通過したときに、樹脂フィルム１０３Ａがギア歯１３３の角によって切断されるのを防ぐために、ギア歯１３３の角はＲ状に面取りされている。
【０１４９】
ギア歯１３３の幅は、たとえば０．３〜０．５ｍｍであり、隣接するギア歯１３３の間の距離は、たとえば１．０〜１．２ｍｍである。なお、ギアロール１３０の下段ギアロール１３２は、上段ギアロール１３１と同様の形状であるので、下段ギアロール１３２の詳細な説明は省略する。上段ギアロール１３１のギア歯１３３と下段ギアロール１３２のギア歯とが噛み合っている部分における上段ギアロール１３１の径方向の長さ、すなわち噛み込み深さは、たとえば１．２５ｍｍである。上段ギアロール１３１のギア歯１３３と下段ギアロール１３２のギア歯とが噛み合っているときの上段ギアロール１３１のギア歯１３３と下段ギアロール１３２のギア歯との間の隙間は、たとえば、０．２５〜０．４５ｍｍである。
【０１５０】
樹脂フィルム１０３Ａが延伸ギアロール１３０を通過すると、樹脂フィルム１０３Ａは略波状に曲げられ、突条部２１Ａが形成された樹脂フィルム１０５Ａが作製される（図８（ｃ）参照）。
【０１５１】
次に、図７を参照して、延伸ギアロール１３０に樹脂フィルム１０３Ａを通過させたとき、樹脂フィルム１０３Ａに開口部２５Ａが形成される原理を説明する。なお、この原理は、本発明を限定するものではない。
【０１５２】
樹脂フィルム１０３Ａは、上段ギアロール１３１のギア歯１３３と下段ギアロール１３２のギア歯１３４とが噛み合っている部分１０６Ａで大きく延伸される。上述の凹部を形成する工程で凹部１０４Ａが形成された部分は、樹脂フィルム１０３Ａの坪量が急激に変わっている部分であるので、強度が弱く、樹脂フィルム１０３Ａの凹部１０４Ａは、延伸を受けると破れる。このため、樹脂フィルム１０３Ａの延伸を受けた部分１０６Ａでは、樹脂フィルム１０３Ａの凹部１０４Ａが破れて、樹脂フィルム１０３Ａの破れた部分が広がり開口部２５Ａが形成される。
【０１５３】
樹脂フィルム１０３Ａは、上段ギアロール１３１のギア歯１３３と下段ギアロール１３２のギア歯１３４とが噛み合っていない部分１０７Ａではあまり延伸されない。このため、樹脂フィルム１０３Ａにおける上段ギアロール１３１のギア歯１３３と下段ギアロール１３２のギア歯１３４とが噛み合っていない部分１０７Ａでは、樹脂フィルム１０３Ａが延伸ギアロール１３０を通過しても、上述の凹部形成工程で形成された凹部１０４Ａは、破れず開口部にならない。そして、凹部を形成する工程で形成された凹部１０４Ａは、少し延伸されてトップシート２の凹部２６Ａになる。
【０１５４】
樹脂フィルム１０３Ａの上段ギアロール１３１のギア歯１３３と下段ギアロール１３２のギア歯１３４とが噛み合っていない部分１０７Ａは、トップシート２Ａの突条部２１の頂部２３Ａおよび底部２２Ａに対応する（図３参照）。樹脂フィルム１０３Ａの上段ギアロール１３１のギア歯１３３と下段ギアロール１３２のギア歯１３４とが噛み合っている部分１０６Ａは、トップシート２Ａの突条部２１Ａの壁部２４Ａに対応する（図３参照）。このため、トップシート２Ａの突条部２１Ａの頂部２３Ａおよび底部２２Ａには凹部２６Ａが設けられ、トップシート２Ａの突条部２１Ａの壁部２４Ａに開口部２５Ａが設けられる。
【０１５５】
トップシート２Ａに用いられる樹脂フィルムは延伸されると、薄くなるので、隠ぺい性が弱くなる。したがって、吸収性物品１を肌側上方から見ると、吸収体４に吸収された体液はトップシート２Ａの底部２２Ａおよび突条部２１Ａの頂部２３Ａに隠れて見えないが、吸収性物品１を斜め方向から見ると、トップシート２Ａの突条部２１Ａの壁部２４Ａを透過して、および壁部２４Ａの開口部２５Ａを通して吸収体２に吸収された体液を見ることができる。したがって、吸収性物品１の交換の時期を判断したい場合は、吸収性物品１を斜め方向から見ることによって吸収体４に吸収された体液の量を確認することができ、これにより吸収性物品１の交換の時期を判断することができる。
【０１５６】
滑剤塗布工程では、滑剤塗布スプレー１４０を使用してギア延伸した樹脂フィルム１０５Ａに上述の滑剤１４１を塗布して、表面に滑剤層２７Ａが形成された樹脂フィルム１０８Ａを作製する（図８（ｄ）参照）。滑剤の塗布量は、０．１ｇ／ｍ2以上、３０．０ｇ／ｍ2以下であることが好ましく、１．０ｇ／ｍ2以上、１０．０ｇ／ｍ2以下であることがさらに好ましい。滑剤の塗布量が、０．１ｇ／ｍ2未満であると、滑剤による体液の拭き取り性の効果が生じない場合がある。滑剤の塗布量が、３０．０ｇ／ｍ2よりも大きいと、トップシート２Ａの表面が濡れているような感触を着用者に与えてしまう場合がある。
【０１５７】
樹脂フィルム１０５Ａの全面に滑剤を塗布してもよいし、吸収性物品における着用者の体液が排出される領域に対応する領域のみに滑剤を樹脂フィルム１０５Ａに塗布してもよい。なお、滑剤を塗布する工程では、滑剤塗布スプレー１４０を使用した噴霧によって、樹脂フィルム１０５Ａに滑剤１４１を塗布したが、印刷法、浸漬法などで滑剤１４１を樹脂フィルム１０５Ａに塗布してもよい。
【０１５８】
トップシートの作製条件の例を以下に示す。
樹脂フィルムの材質：低密度ポリエチレン（ＬＤＰＥ）
樹脂フィルムの坪量：２３．５ｇ/ｍ2または３５．０ｇ/ｍ2
樹脂フィルムの厚さ：２０μｍまたは３０μｍ
樹脂フィルム中の酸化チタンの含有量：２．９％または５％
予熱ロールの温度：８０℃
ローレットロールの格子状の凸部のピッチ：０．４ｍｍ
ギア歯の幅：０．５ｍｍ
隣接するギア歯の間の距離：１．０ｍｍ
上段ギアロールのギア歯と下段ギアロールのギア歯との間の隙間：０．２５ｍｍ
延伸ギアロールの噛み込み深さ：１．２５ｍｍ
【０１５９】
ローレットロールの表面に設けられた格子状の凸部１２４Ａおよび菱形の凹部１２５Ａを図９（ａ）に示す。
【０１６０】
凹部形成ロール１２０Ａを通過して樹脂フィルムに形成された凹部１０４Ａを図９（ｂ）に示す。凹部１０４Ａの幅方向（ＣＤ）の長さは０．２５ｍｍであった。凹部１０４Ａの幅方向（ＣＤ）のピッチは０．７０ｍｍであった。ここで、凹部１０４Ａの幅方向のピッチとは、図９（ｂ）の横方向に隣接する凹部１０４Ａの幅方向の右端の間の距離である。
【０１６１】
延伸ギアロール１３０Ａを通過して突条部の壁部２４Ａに形成された開口部２５Ａおよび突条部の頂部２３Ａに形成された凹部２６を図９（ｃ）に示す。なお、図９（ｃ）は、樹脂フィルム全体に顕微鏡の焦点を合わせるために、略波状に曲がっている樹脂フィルムを延ばして撮影された。
【０１６２】
−第２の実施形態−
図面を参照して、本発明の第２の実施形態を説明するが、本発明は図面に記載されたものに限定されるものではない。なお、本発明の第１の実施形態と共通する部分には共通の符号を付し、本発明の第１の実施形態と異なる部分を主に説明する。
【０１６３】
本発明の第２の実施形態の吸収性物品の構成は、トップシート以外、第１の実施形態の吸収性物品１と同じであるので、第２の実施形態の吸収性物品のトップシートについて主に説明する。
【０１６４】
図１０は、第２の実施形態の吸収性物品のトップシート２Ｂの模式斜視図である。幅方向の断面が略波状になるように曲げられたトップシート２Ｂは、長手方向に延びる突条部２１Ｂと隣接する突条部２１Ｂの間に配置された底部２２Ｂとを有する。なお、突条部２１Ｂが延びる方向は、長手方向に限定されない。突条部２１Ｂは、着用者の肌に接する面である頂部２３Ｂと側面の壁部２４Ｂとを有する。第２の実施形態の吸収性物品のトップシート２Ｂも断面が略波状になるように曲げられているので、着用者がトイレットペーパーなどで経血などの体液を拭き取る際にトップシート２Ｂの表面に印加される圧力によって、トップシート２Ｂの略波状形状が変形してトップシート２Ｂが平坦になり、トップシート２Ｂの表面に付着した体液が拭き取りやすくなる。
【０１６５】
トップシート２Ｂは、体液を透過するための多数の開口部３４Ｂが設けられた樹脂フィルム層３１Ｂと、樹脂フィルム層３１Ｂの肌側に設けられた滑剤層３３Ｂと、樹脂フィルム層３１Ｂの着衣側に設けられた繊維集合層３２Ｂとを含む。繊維集合層３２Ｂは、突条部２１Ｂの壁部２４Ｂにおいて、基材破壊されている。ここで、基材破壊Ｂとは、繊維集合層３２Ｂが裂けるなどの繊維集合層内部で生じる繊維集合層３２Ｂの破壊である。
【０１６６】
樹脂フィルム層３１Ｂとして使用される樹脂は、第１の実施形態の吸収性物品のトップシートと同様であるので、樹脂フィルム層３１Ｂとして使用される樹脂の説明は省略する。
【０１６７】
樹脂フィルム層３１Ｂの坪量は、好ましくは１ｇ/ｍ2以上、３０ｇ/ｍ2以下であり、より好ましくは３ｇ/ｍ2以上、１５ｇ/ｍ2以下である。また、樹脂フィルム層３１Ｂの厚さは、好ましくは０．０１ｍｍ以上、０．３ｍｍ以下であり、より好ましくは０．０３ｍｍ以上、０．１５ｍｍ以下である。樹脂フィルム層３１Ｂの厚さが０．０１ｍｍ未満の場合には、トップシート２Ｂの後述の隠ぺい性が小さくなりすぎてしまう場合があり、樹脂フィルム層３１Ｂの厚さが０．３ｍｍを超える場合には、トップシート２Ｂの剛性が高くなり、着用者の肌に対するトップシート２Ｂの刺激が強くなりすぎてしまう場合がある。また、樹脂フィルム層３１Ｂの厚さが０．３ｍｍを超える場合には、樹脂フィルム層３１Ｂの強度が高くなりすぎてしまい、開口部３４Ｂが樹脂フィルム層３１Ｂに形成されない場合がある。
【０１６８】
トップシート２Ｂは、第１の実施形態の吸収性物品のトップシート２と同様に、吸収体に吸収された体液が外部から見えないようにするため、隠ぺい性を有する。トップシート２の隠ぺい性は、樹脂フィルム層３１の隠ぺい性により生ずる。樹脂フィルム層３１の隠ぺい性は、酸化チタンなどの無機フィラーを樹脂に混ぜることによって生ずる。フィラーが酸化チタンの場合、酸化チタンの含有量は、樹脂の重量に対して、好ましくは１％以上、５０％以下であり、より好ましくは３％以上、１５％以下である。酸化チタンの含有量が樹脂の重量に対して１％未満であると、トップシート２Ｂにおける吸収体に吸収された体液を隠ぺいする効果が小さすぎてしまう場合がある。酸化チタンの含有量が樹脂フィルムの重量に対して５０％を超えると、酸化チタンを含有した樹脂を層状に成形することが困難になる場合がある。
【０１６９】
トップシート２Ｂの壁部２４Ｂにおいて、樹脂フィルム層３１Ｂは、突条部２１Ｂの延びる方向（長手方向）に並ぶ複数の開口部３４Ｂを有する。開口部３４Ｂは樹脂フィルム層３１Ｂを貫通する穴であり、着用者の体液は、開口部３４Ｂを通って繊維集合層３２Ｂに吸収され、そして吸収体に吸収される。開口部３４Ｂの開口面積は、好ましくは０．０００５ｍｍ2以上、１．５ｍｍ2以下であり、より好ましくは０．０１ｍｍ2以上、０．５ｍｍ2以下である。開口部３４Ｂの開口面積が０．０００５ｍｍ2よりも小さいと、着用者の体液は、開口部３４Ｂを通らなくなる場合があり、開口部３４Ｂの開口面積が１．５ｍｍ2よりも大きいと、吸収体に一旦吸収された体液が樹脂フィルム層３１Ｂの開口部３４Ｂを通って逆戻りしたり、樹脂フィルム層３１Ｂの開口部３４Ｂ以外の部分の面積の割合が小さくなり、トップシート２Ｂの隠ぺい性が小さくなったりする場合がある。また、樹脂フィルム層３１Ｂの開口部３４Ｂの開口面積が１．５ｍｍ2よりも大きいと、トップシート２Ｂの強度が小さくなりすぎてしまう場合がある。
【０１７０】
樹脂フィルム層３１Ｂの面積に対する総開口面積の割合、すなわち、樹脂フィルム層３１Ｂの開口率は、好ましくは１％以上、１０％以下である。樹脂フィルム層３１Ｂの開口率が１％よりも小さい場合、トップシート２Ｂにおける体液の透過性が悪くなる場合があり、樹脂フィルム層３１Ｂの開口率が１０％よりも大きい場合、吸収体に一旦吸収された体液が樹脂フィルム層３１Ｂの開口部３４Ｂを通って逆戻りしたり、樹脂フィルム層３１Ｂの開口部３４Ｂ以外の部分の面積の割合が小さくなり、トップシート２Ｂの隠ぺい性が小さくなったりする場合がある。また、樹脂フィルム層３１Ｂの開口率が１０％よりも大きいと、トップシート２Ｂの強度が小さくなりすぎてしまう場合がある。
【０１７１】
繊維集合層３２Ｂは、親水性繊維の集合体である紙および不織布などを含む。繊維集合層３２Ｂとして使用される不織布は、好ましくはティッシュである。ここで、ティッシュとは、クラフトパルプやレーヨンなどを主成分として湿潤強度が与えられた坪量が１０ｇ／ｍ2以上、２０ｇ／ｍ2以下の薄葉紙をいう。繊維集合層３２Ｂの厚さは、好ましくは０．１ｍｍ以上、０．５ｍｍ以下である。樹脂フィルム層３１Ｂが親水性を有さなくても、繊維集合層３２は、トップシート２Ｂに親水性を付与できる。また、繊維集合層３２Ｂは、トップシート２Ｂに柔軟性を付与することができる。繊維集合層３２Ｂにティッシュを用いる場合、ティッシュは、他の紙および不織布に比べて、価格が安く、また、市場に多く出回っているので調達しやすい。また、ティッシュの強度は低いが、樹脂フィルム層３１Ｂとともに使用することで、トップシート２Ｂの繊維集合層３２Ｂとしてティッシュを使用することができる。さらに、ティッシュは基材破壊されやすいので、後述のギア延伸工程によって、樹脂フィルム層３１Ｂに容易に開口部３４を形成することができる。
【０１７２】
滑剤層３３Ｂは、第１の実施形態の吸収性物品のトップシート２Ａの表面に形成された滑剤層２７Ａと同様であるので、滑剤層３３Ｂの説明は省略する。
【０１７３】
次に、図１１を参照して、本発明の第２の実施形態におけるトップシートの製造方法を説明する。図１１は、本発明の第２の実施形態におけるトップシート２Ｂの製造方法に使用するトップシート製造装置１００Ｂを説明するための図である。トップシート製造装置１００Ｂは、延伸ギアロール１３０および滑剤塗布スプレー１４０を含む。また、トップシート２Ｂの製造方法は、樹脂フィルム層と繊維集合層とからなる複合シートを用意する工程、ギア延伸工程および滑剤塗布工程を含む。
【０１７４】
樹脂フィルム層と繊維集合層とからなる複合シートを用意する工程では、不図示の複合シートのロールから供給された複合シート１０３Ｂを延伸ギアロール１３０に供給する。複合シート１０３Ｂは、たとえばティッシュシート（ティッシュをシート状にしたもの）などの繊維シートに樹脂を押し出しラミネートして、繊維シート上に樹脂フィルム層を形成することによって作製される。
【０１７５】
ギア延伸工程では、延伸ギアロール１３０に複合シート１０３を通過させることによって、複合シート１０３に突条部を形成し、複合シートの樹脂フィルム層に開口部を形成する。ギア延伸工程で使用される延伸ギアロールは、第１の実施形態の吸収性物品のトップシートの製造方法で使用されるギア延伸ロール１３０と同様であるので、ギア延伸ロールの説明は省略する。
【０１７６】
複合シート１０３Ｂが延伸ギアロール１３０を通過すると、複合シート１０３Ｂは略波状に曲げられ、機械方向に延び、幅方向に並んだ複数の突条部が複合シート１０３Ｂに形成される。
【０１７７】
次に、図１２を参照して、延伸ギアロール１３０に複合シート１０３Ｂを通過させたとき、複合シート１０３Ｂの樹脂フィルム層に開口部が形成される原理を説明する。なお、この原理は、本発明を限定するものではない。
【０１７８】
複合シート１０３Ｂは、上段ギアロール１３１のギア歯１３３と下段ギアロール１３２のギア歯１３４とが噛み合っている部分１０５Ｂで延伸される。
【０１７９】
繊維集合層は基材破壊されやすく、繊維集合層の引張強度は樹脂フィルム層の引張強度に対して低い。繊維集合層が基材破壊されるまで複合シート１０３Ｂを延伸すると、ティッシュ層の基材破壊された部分に一体化された樹脂フィルム層も一緒に破壊され、樹脂フィルム層に開口部が形成される。
【０１８０】
詳細には、繊維集合層の表面は平滑性が低く、繊維集合層の表面には小さな凹凸の起伏が形成されている。このため、樹脂フィルム層には繊維集合層との間の接着力が強い部分と弱い部分とが生じる。繊維集合層との接着力が強い部分の樹脂フィルム層は、繊維集合層が基材破壊するまで複合シート１０３Ｂが延伸されたとき、繊維集合層と一体化しているので、樹脂フィルム層は、繊維集合層の基材破壊と一緒に破壊されて開口部を形成する。しかし、繊維集合層との接着力が弱い部分の樹脂フィルム層は、繊維集合層が基材破壊するまで複合シート１０３Ｂが延伸されたとき、繊維集合層との接着が解除されるので、繊維集合層から離間された状態になる。その結果、繊維集合層との接着力が弱い部分の樹脂フィルム層は、繊維集合層の基材破壊と一緒に破壊されない。このため、繊維集合層との接着力が弱い部分の樹脂フィルム層には開口部が形成されない。繊維集合層の表面には、凹凸が不規則に形成されているので、樹脂フィルム層には、不規則な大きさの開口部が形成される。
【０１８１】
複合シート１０３Ｂは、上段ギアロール１３１のギア歯１３３と下段ギアロール１３２のギア歯１３４とが噛み合っていない部分１０６Ｂではあまり延伸されない。このため、複合シート１０３Ｂにおける上段ギアロール１３１のギア歯１３３と下段ギアロール１３２のギア歯１３４とが噛み合っていない部分１０６Ｂでは、複合シート１０３Ｂが延伸ギアロール１３０を通過しても、開口部は形成されない。
【０１８２】
複合シート１０３Ｂの上段ギアロール１３１のギア歯１３３と下段ギアロール１３２のギア歯１３４とが噛み合っていない部分１０６Ｂは、トップシート２Ｂの突条部２１Ｂの頂部２３Ｂおよび底部２２Ｂに対応する（図１０参照）。複合シート１０３Ｂの上段ギアロール１３１のギア歯１３３と下段ギアロール１３２のギア歯１３４とが噛み合っている部分１０５Ｂは、トップシート２Ｂの突条部２１Ｂの壁部２４Ｂに対応する（図１０参照）。このため、トップシート２Ｂの突条部２１Ｂの頂部２３Ｂおよび底部２２Ｂには開口部３４Ｂがなく、トップシート２Ｂの突条部２１Ｂの壁部２４Ｂに開口部３４Ｂが設けられる。
【０１８３】
樹脂フィルム層に開口部が形成されたトップシートの肌側の顕微鏡写真を図１３に示す。図１３（ａ）は、突条部の延びる方向に並ぶ複数の開口部を示すトップシートの肌側の顕微鏡写真である。図１３（ｂ）は、開口部を有する突条部の壁部を示すトップシートの肌側の顕微鏡写真である。図１３（ｃ）は、フィルム樹脂層の開口部を示すトップシートの肌側の顕微鏡写真である。
【０１８４】
樹脂フィルム層に開口部が形成されたトップシートの着衣側の顕微鏡写真を図１４に示す。図１４（ａ）は、基材破壊された繊維集合層と、開口部が形成された樹脂フィルム層を示すトップシートの着衣側の顕微鏡写真である。図１４（ｂ）は、樹脂フィルム層の開口部を覆う、基材破壊された繊維集合層の繊維を示すトップシートの着衣側の顕微鏡写真である。
【０１８５】
滑剤塗布工程では、滑剤塗布スプレー１４０を使用してギア延伸した複合シート１０４Ｂの樹脂フィルム層側の面に上述の滑剤１４１を塗布して、複合シート１０４Ｂに滑剤層を形成する。滑剤の塗布量は、第１の実施形態の吸収性物品のトップシートの製造方法における滑剤の塗布量と同様である。
【０１８６】
なお、上述のトップシート２Ｂの製造方法において、樹脂フィルム層と繊維集合層とからなる複合シートを用意する工程の代わりに、繊維シートを用意する工程と、繊維シートに樹脂をラミネートして、繊維シート上に樹脂フィルム層を形成することによて複合シートを作製する工程とを設けるようにしてもよい。
【０１８７】
以上の第１の実施形態の吸収性物品および第２の実施形態の吸収性物品を以下のように変形することができる。
（１）トップシートの少なくとも肌側の面の少なくとも一部が、肌側の面に滑剤層が形成された樹脂フィルムで形成されていれば、第１の実施形態の吸収性物品のようにトップシート全体が、肌側の面に滑剤層２７Ａが形成された樹脂フィルム２Ａであったり、第２の実施形態の吸収性物品のようにトップシート２Ｂの肌側の全面が、肌側の面に滑剤層３３Ｂが形成された樹脂フィルム３１Ｂであったりしなくてもよい。たとえば、吸収性物品のトップシートに、図１５に示すトップシート２Ｃのように、不織布またはティッシュ３２Ｃの肌側の面にストライプ状に形成した樹脂フィルム層３１Ｃの肌側の面に滑剤層３３Ｃを形成するようにしてもよい。図１５は、トップシート２Ｃの一部を拡大した模式斜視図である。この場合も、着用者の体液と樹脂フィルム層３１Ｃとの間に滑剤層３３Ｃが存在するので、体液の拭き取り性が良好になる。なお、不織布またはティッシュ３１Ｃに付着した体液は、不織布またはティッシュ３１Ｃを通過して吸収体に吸収されるので、拭き取る必要はない。
【０１８８】
ストライプ状の樹脂フィルム層３１Ｃの幅は、たとえば、０．０５〜３ｍｍであり、好ましくは、０．１〜１ｍｍである。また、隣接する樹脂フィルム層３１Ｃ間の距離は、たとえば、０．０５〜３ｍｍであり、好ましくは、０．１〜１ｍｍである。ストライプ状の樹脂フィルム層３１Ｃは、たとえば、ポリエチレンを主成分とした樹脂を不織布などの基材へストライプ状に連続塗布した後、ニップロールで厚さ方向に圧力をかけることによって不織布などの上に形成される。
【０１８９】
図１６（ａ）に示す上述の特許文献１に記載された樹脂フィルムのトップシート２Ｄの表面に、図１６（ｂ）に示すように滑剤層２７Ｄを形成するようにしてもよい。図１６（ａ），（ｂ）は、トップシート２Ｄの一部を拡大した模式斜視図である。特許文献１に記載されたトップシート２Ｄの表面には毛髪状のフィブリル２１Ｄが形成されている。したがって、複数のフィブリル２１Ｄの間に体液が残留するので、トップシート２Ｄから体液を拭き取ることは難しい。また、毛髪状のフィブリル２１Ｄによって、体液を拭き取るときに使用するトイレットペーパーなどが破損してしまう恐れがある。しかし、トップシート２Ｄの表面に滑剤層２７Ｄを形成することによって、複数のフィブリル２１Ｄの間に体液が残留することを抑制でき、トップシート２Ｄに付着した体液を容易に拭き取れるようにできる。また、体液を容易に拭き取れるので、トイレットペーパーなどでトップシート２Ｄを強くこする必要がないので、体液を拭き取るときに使用するトイレットペーパーなどが破損することを抑制できる。
【０１９０】
なお、上述の特許文献１に記載された樹脂フィルムのトップシートの表面に毛髪状のフィブリルを形成しないトップシート２Ｅ（図１７参照）、すなわち、開口部２５Ｅのみが形成されているトップシート２Ｅの表面に滑剤層２７Ｅを形成するようにしてもよい。図１７は、トップシート２Ｅの一部を拡大した模式斜視図である。
【０１９１】
（２）少なくとも、着用者の体液の排出口に対向する領域で、トップシートと吸収体とは接合されていなくてもよい。この場合、トップシートの少なくとも着用者の体液の排出口に対向する領域は、肌側の面に滑剤層が形成された樹脂フィルムで形成されてる。これにより、トップシートが変形しやすくなり、トップシートの表面に残留した経血などの体液をさらに拭き取りやすくできる。とくに、トップシートが、断面が略波状になるように曲げられている場合、着用者がトイレットペーパーなどで体液を拭き取る際にトップシートの表面に印加される圧力によって、トップシートの略波状形状が変形してトップシートがさらに平坦になりやすくなる。これにより、トップシートの表面に付着した体液がさらに拭き取りやすくなる。
【実施例】
【０１９２】
以下に、実施例に基づいて本発明をより詳細に説明するが、本発明はこれらの実施例によって限定されるものではない。
【０１９３】
（拭き取り性）
実施例および比較例において、トップシートの拭き取り性を以下のようにして測定した。
【０１９４】
（１）３枚に重ねたろ紙（１００ｍｍ×１００ｍｍ）上に試料を配置した。３枚に重ねたろ紙は、吸収体に対応する。
（２）内径１．８ｍｍのピペットを使用して、垂直に速度１００ｇ／分の条件で、試料の上方の１０ｍｍの高さから、高粘度人工経血０．１ｍｇを試料に滴下した。このとき使用した高粘度人工経血の組成を以下に示す。
高粘度人工経血の組成
９７重量％の０．９％生理食塩水
３重量％のタマリンドガム（商品名：グリロイド６Ｃ、DSP五協フード＆ケミカル（株）より購入）
微量の食用色素赤色１０２号
（３）滴下後、１分間放置した。
（４）トイレットペーパーを６折りにして１１０ｍｍ×６０ｍｍの大きさにした後、手の中指に、６折りにしたトイレットペーパーを巻き込んだ。そして、１００〜１５０ｇ／ｃｍ2の加圧で、試料の表面でトイレットペーパーを３０ｍｍ移動させ、滴下した高粘度人工経血をトイレットペーパーで拭き取った。
（５）拭き取った後の試料の質量を測定し、測定した質量から、高粘度人工経血を滴下する前の試料の質量を引き算して、試料に残留した高粘度人工経血の残留量を算出した。
【０１９５】
以下、実施例および比較例の作製方法について説明する。
【０１９６】
（実施例１）
９７重量％のポリエチレンと３重量％の酸化チタンとからなる樹脂フィルムにパーフォレーション加工によって孔を形成した。孔を形成した樹脂フィルムの目付は２２ｇ／ｍ2であり、実質開口径は０．５〜０．８ｍｍであり、実質開口面積率（開口率）は１８％であった。そして、５ｇ／ｍ2の塗布量で樹脂フィルムの表面に、トリグリセリド（商品名：パナセート８１０ｓ（ＩＯＢ：０．３２、融点：−５℃、水解度：＜０．０５ｇ、日油（株）より購入）を塗布した。
【０１９７】
（実施例２）
第１の実施形態におけるトップシートの製造方法によって、実施例２のトップシートを作製した。実施例２の作製条件を以下に示す。
樹脂フィルムの組成：９７重量％のポリエチレン、３重量％の酸化チタン
ローレットロールの格子状の凸部のピッチ：０．４ｍｍ
ギア歯の幅：０．５ｍｍ
ギア歯の高さ：１．５ｍｍ
隣接するギア歯の間の距離：１．０ｍｍ
上段ギアロールのギア歯と下段ギアロールのギア歯との間の隙間：０．２５ｍｍ
延伸ギアロールの噛み込み深さ：１．１ｍｍ
滑剤：トリグリセリド（商品名：パナセート８１０ｓ（ＩＯＢ：０．３２、融点：−５℃、水解度：＜０．０５ｇ、日油（株）より購入）
塗布量：５ｇ／ｍ2
【０１９８】
実施例２の形態を以下に示す。
突条部の高さ：０．０５ｍｍ
隣接する突条部の幅方向中心間の距離（突条部のピッチ）：２．５ｍｍ
開口部の直径：０．１〜０．６ｍｍ
実質開口率：１０％
【０１９９】
（比較例１）
比較例１の作製方法は、トリグリセリドを塗布しなかった点を除いて、実施例１の作製方法と同じであった。
【０２００】
（比較例２）
比較例２の作製方法は、トリグリセリドを塗布しなかった点を除いて、実施例２の作製方法と同じであった。
【０２０１】
実施例１および２ならびに比較例１および２の表面を撮影した顕微鏡写真を図１８に示す。図１８（ａ）が実施例１の表面を撮影した顕微鏡写真であり、図１８（ｂ）が実施例２の表面を撮影した顕微鏡写真であり、図１８（ｃ）が比較例１の表面を撮影した顕微鏡写真であり、図１８（ｄ）が比較例２の表面を撮影した顕微鏡写真である。
【０２０２】
実施例および比較例の拭き取り試験の結果を以下に示す。
【０２０３】
実施例および比較例に高粘度人工経血を滴下して１分間放置した後の実施例および比較例の表面の状態を図１９に示す。図１９（ａ）は、実施例１の表面の状態を示す写真であり、図１９（ｂ）は、実施例２の表面の状態を示す写真であり、図１９（ｃ）は、比較例１の表面の状態を示す写真であり、図１９（ｄ）は、比較例２の表面の状態を示す写真である。
【０２０４】
実施例および比較例から高粘度人工経血を拭き取った後のトイレットペーパーの表面の状態を図２０に示す。図２０（ａ）は、実施例１から高粘度人工経血を拭き取った後のトイレットペーパーの表面の状態を示す写真であり、図２０（ｂ）は、実施例２から高粘度人工経血を拭き取った後のトイレットペーパーの表面の状態を示す写真であり、図２０（ｃ）は、比較例１から高粘度人工経血を拭き取った後のトイレットペーパーの表面の状態を示す写真であり、図２０（ｄ）は、比較例２から高粘度人工経血を拭き取った後のトイレットペーパーの表面の状態を示す写真である。
【０２０５】
トイレットペーパーを使用して高粘度人工経血を拭き取った後の実施例および比較例の表面の状態を図２１に示す。図２１（ａ）は、実施例１の表面の状態を示す写真であり、図２１（ｂ）は、実施例２の表面の状態を示す写真であり、図２１（ｃ）は、比較例１の表面の状態を示す写真であり、図２１（ｄ）は、比較例２の表面の状態を示す写真である。
【０２０６】
図２１の写真から、比較例１の表面に比べて、実施例１の表面には、高粘度人工経血が残留しておらず、比較例２の表面に比べて、実施例２の表面には、高粘度人工経血が残留していないことがわかった。これより、滑剤をトップシートに塗布することによって、トップシートに付着した高粘度人工経血をきれいに拭き取れることがわかった。
【０２０７】
トイレットペーパーを使用して高粘度人工経血を拭き取った後の実施例１の高粘度人工経血の残留量は０．０１ｇであり、実施例２の高粘度人工経血の残留量は０．００ｇであり、比較例１の高粘度人工経血の残留量は０．０３ｇであり、比較例２の高粘度人工経血の残留量は０．０２ｇであった。これからも、滑剤をトップシートに塗布することによって、トップシートに付着した高粘度人工経血をきれいに拭き取れることがわかった。
【０２０８】
実施例１に比べて実施例２には、拭き取った後に残っている高粘度人工経血は少ない。これは、トイレットペーパーで高粘度人工経血を拭き取る際に実施例２の表面に印加される圧力によって、実施例２の突条部が変形して実施例２の表面が平坦になり、表面に付着した高粘度人工経血が拭き取りやすくなったためと考えられる。
【０２０９】
（血液改質剤が、血液の粘度および表面張力を下げるメカニズム）
血液改質剤が、血液の粘度および表面張力を下げるメカニズムを有することを以下の実施例で確認した。
【０２１０】
［例１］
［リウェット率および吸収体移行速度の評価］
市販の生理用ナプキンを準備した。当該生理用ナプキンは、親水剤で処理されたエアスルー不織布（ポリエステルおよびポリエチレンテレフタレートから成る複合繊維、坪量：３５ｇ／ｍ2）から形成されたトップシートと、エアスルー不織布（ポリエステルおよびポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）およびコアラップとしてのティッシュを含む吸収体と、撥水剤処理されたサイドシートと、ポリエチレンフィルムから成るバックシートとから形成されていた。
【０２１１】
以下に、実験に用いられた血液改質剤を列挙する。
［（Ａ1）鎖状炭化水素テトラオールと脂肪酸とのエステル］
・ユニスター  Ｈ−４０８ＢＲＳ，日油株式会社製
テトラ２−エチルヘキサン酸ペンタエリトリトール
・ユニスター  Ｈ−２４０８ＢＲＳ−２２，日油株式会社製
テトラ２−エチルヘキサン酸ペンタエリトリトールと、ジ２−エチルヘキサン酸ネオペンチルグリコールとの混合物（５８：４２、重量比）
【０２１２】
［（Ａ2）鎖状炭化水素トリオールと脂肪酸とのエステル］
・Ｃｅｔｉｏｌ  ＳＢ４５ＤＥＯ，コグニスジャパン株式会社製
脂肪酸が、オレイン酸またはステアリル酸である、グリセリンと脂肪酸とのトリエステル
・トリＣ２Ｌ油脂肪酸グリセリド，日油株式会社製
Ｃ8の脂肪酸：Ｃ10の脂肪酸：Ｃ12の脂肪酸がおおよそ３７：７：５６の重量比で含まれている、グリセリンと脂肪酸とのトリエステル
・トリＣＬ油脂肪酸グリセリド，日油株式会社製
Ｃ8の脂肪酸およびＣ12の脂肪酸がおおよそ４４：５６の重量比で含まれている、グリセリンと脂肪酸とのトリエステル
【０２１３】
・パナセート８１０ｓ，日油株式会社製
Ｃ8の脂肪酸：Ｃ10の脂肪酸がおおよそ８５：１５の重量比で含まれている、グリセリンと脂肪酸とのトリエステル
・パナセート８００，日油株式会社製
脂肪酸が全てオクタン酸（Ｃ8）である、グリセリンと脂肪酸とのトリエステル
【０２１４】
・パナセート８００Ｂ，日油株式会社製
脂肪酸が全て２−エチルヘキサン酸（Ｃ8）である、グリセリンと脂肪酸とのトリエステル
・ＮＡ３６，日油株式会社製
Ｃ16の脂肪酸：Ｃ18の脂肪酸：Ｃ20の脂肪酸（飽和脂肪酸および不飽和脂肪酸の両方を含む）がおおよそ５：９２：３の重量比で含まれている、グリセリンと脂肪酸とのトリエステル
【０２１５】
・トリヤシ油脂肪酸グリセリド，日油株式会社製
Ｃ8の脂肪酸：Ｃ10の脂肪酸：Ｃ12の脂肪酸：Ｃ14の脂肪酸：Ｃ16の脂肪酸（飽和脂肪酸および不飽和脂肪酸の両方を含む）がおおよそ４：８：６０：２５：３の重量比で含まれている、グリセリンと脂肪酸とのトリエステル
・ＳＯＹ４２，日油株式会社製
Ｃ14の脂肪酸：Ｃ16の脂肪酸：Ｃ18の脂肪酸：Ｃ20の脂肪酸（飽和脂肪酸および不飽和脂肪酸の両方を含む）がおおよそ０．２：１１：８８：０．８の重量比で含まれている、グリセリンと脂肪酸とのトリエステル
【０２１６】
・カプリル酸ジグリセリド，日油株式会社製
脂肪酸がオクタン酸である、グリセリンと脂肪酸とのジエステル
［（Ａ3）鎖状炭化水素ジオールと脂肪酸とのエステル］
・コムポールＢＬ，日油株式会社製
ブチレングリコールのドデカン酸（Ｃ12）モノエステル
・コムポールＢＳ，日油株式会社製
ブチレングリコールのオクタデカン酸（Ｃ18）モノエステル
・ユニスター  Ｈ−２０８ＢＲＳ，日油株式会社製
ジ２−エチルヘキサン酸ネオペンチルグリコール
【０２１７】
［（Ｃ3）２個のカルボキシル基を有する鎖状炭化水素ジカルボン酸、ヒドロキシ酸、アルコキシ酸またはオキソ酸と、脂肪族１価アルコールとのエステル］
・アジピン酸ジオクチル，和光純薬工業製
［（Ｄ3）脂肪酸と脂肪族１価アルコールとのエステル］
・エレクトールＷＥ２０，日油株式会社製
ドデカン酸（Ｃ12）と、ドデシルアルコール（Ｃ12）とのエステル
・エレクトールＷＥ４０，日油株式会社製
テトラデカン酸（Ｃ14）と、ドデシルアルコール（Ｃ12）とのエステル
【０２１８】
［（Ｅ1）ポリＣ2~6アルキレングリコール］
・ユニオールＤ−１０００（ユニオールは、全て日油株式会社製）
重量平均分子量約１，０００のポリプロピレングリコール
・ユニオールＤ−１２００
重量平均分子量約１，２００のポリプロピレングリコール
・ユニオールＤ−３０００
【０２１９】
重量平均分子量約３０００のポリプロピレングリコール
・ユニオールＤ−４０００
重量平均分子量約４０００のポリプロピレングリコール
・ユニオールＰＢ５００
重量平均分子量約５００のポリブチレングリコール
・ユニオールＰＢ７００
重量平均分子量約７００のポリオキシブチレンポリオキシプロピレングリコール
・ユニオールＰＢ１０００Ｒ
重量平均分子量約１０００のポリブチレングリコール
【０２２０】
［（Ｅ2）ポリＣ2~6アルキレングリコールと脂肪酸とのエステル］
・ウィルブライトｃｐ９，日油株式会社製
両末端のＯＨ基がヘキサデカン酸（Ｃ16）によりエステル化されている、重量平均分子量約１，１００のポリブチレングリコール
［（Ｅ3）ポリＣ2~6アルキレングリコールと脂肪酸とのエーテル］
・ユニルーブＭＳ−７０Ｋ，日油株式会社製
ポリプロピレングリコールのステアリルエーテル，約１５の繰返し単位
【０２２１】
［（Ｆ1）鎖状アルカン］
・パールリーム６，日油株式会社製
流動イソパラフィン、イソブテンおよびｎ-ブテンを共重合し、次いで水素を付加することにより生成された分岐鎖炭化水素、重合度：約５〜約１０
【０２２２】
［その他］
・ＮＡ５０，日油株式会社製
ＮＡ３６に水素を付加し、原料である不飽和脂肪酸に由来する二重結合の比率を下げたグリセリンと脂肪酸とのトリエステル
・（カプリル酸／カプリン酸）モノグリセリド，日油株式会社製
オクタン酸（Ｃ8）およびデカン酸（Ｃ10）がおおよそ８５：１５の重量比で含まれている、グリセリンと脂肪酸とのモノエステル
・Ｍｏｎｏｍｕｌｓ  ９０−Ｌ２ラウリン酸モノグリセリド，コグニスジャパン株式会社製
【０２２３】
・ユニオックスＨＣ６０，日油株式会社製
ポリオキシエチレン硬化ヒマシ油
【０２２４】
・ウィルブライトｓ７５３，日油株式会社製
ポリオキシエチレンポリオキシプロピレンポリオキシブチレングリセリン
・クエン酸イソプロピル，東京化成工業製
・ユニオールＤ−４００
重量平均分子量約４００のポリプロピレングリコール
・ユニオール  ＴＧ−３３０，日油株式会社製
ポリプロピレングリコールのグリセリルエーテル，約６の繰返し単位，重量平均分子量：約３３０
【０２２５】
・ユニオール  ＴＧ−１０００，日油株式会社製
ポリプロピレングリコールのグリセリルエーテル，約１６の繰返し単位，重量平均分子量：約１０００
・ユニルーブ  ＤＧＰ−７００，日油株式会社製
ポリプロピレングリコールのジグリセリルエーテル，約９の繰返し単位，重量平均分子量：約７００
・ＰＥＧ１５００，日油株式会社製
重量平均分子量約１，５００〜約１，６００のポリエチレングリコール
【０２２６】
・ノニオンＳ−６，日油株式会社製
ポリオキシエチレンモノステアレート、約７の繰返し単位、重量平均分子量：約６００
・ワセリン，コグニスジャパン株式会社製
石油に由来する炭化水素、半固形
【０２２７】
上記試料の、ＩＯＢ，融点および水溶解度を表２に示す。
なお、水溶解度は、上述の方法にしたがって測定したが、１００ｇの脱塩水に、２０．０ｇを添加し、２４時間後に溶解した試料は、「２０ｇ<」と評価し、そして１００ｇの脱塩水に、０．０５ｇは溶解したが、１．００ｇは溶解しなかった試料は、０．０５〜１．００ｇと評価した。
また、融点に関し、「<４５」は、融点が４５℃未満であることを意味する。
【０２２８】
上記生理用ナプキンのトップシートの肌当接面を、上述の血液改質剤で塗工した。各血液改質剤を、血液改質剤が室温で液体である場合にはそのまま、そして血液改質剤が室温で固体である場合には、融点＋２０℃まで加熱し、次いで、コントロールシームＨＭＡガンを用いて、各血液改質剤を微粒化し、トップシートの肌当接面に、坪量がおおよそ５ｇ／ｍ2となるように塗布した。
【０２２９】
例１において、トップシートが血液改質剤を含む範囲を、図２２に示す。図２２に示されるように、例１では、生理用ナプキン２００のトップシート２２０のほぼ全面が、血液改質剤を含む、血液改質剤含有領域２４０である。なお、図２２において、符号２３０は、圧搾部を示す。
【０２３０】
［試験方法］
各血液改質剤を含むトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）３ｇを、ピペットを用いて滴下（１回目）し、１分後、３７±１℃のウマＥＤＴＡ血３ｇを、アクリル板の穴から、ピペットで再度滴下した（２回目）。
【０２３１】
２回目の血液の滴下後、直ちに上記アクリル板を外し、血液を滴下した場所に、ろ紙（５０ｍｍ×３５ｍｍ）１０枚を置き、その上から、圧力が３０ｇ／ｃｍ2となるようにおもりを置いた。１分後、上記ろ紙を取出し、以下の式にしたがって、「リウェット率」を算出した。
リウェット率（％）＝１００×（試験後のろ紙質量−当初のろ紙質量）／６
【０２３２】
また、リウェット率の評価とは別に、２回目の血液の滴下後、血液がトップシートから吸収体に移行する時間である「吸収体移行速度」を測定した。上記吸収体移行速度は、吸収体に血液を投入してから、トップシートの表面および内部に、血液の赤さが見られなくなるまでの時間を意味する。
リウェット率と、吸収体移行速度の結果を、以下の表２に示す。
【０２３３】
また、吸収体移行速度の試験後のトップシートの肌当接面の白さを、以下の基準にしたがって、目視で評価した。
◎：血液の赤さがほとんど残っておらず、血液が存在した場所と、存在していない場所の区別がつかない
○：血液の赤さが若干残っているが、血液の存在した場所と、存在していない場所の区別がつきいにくい
△：血液の赤さが若干残っており、血液が存在した場所が分かる
×：血液の赤さがそのまま残っている
結果を、併せて以下の表２に示す。
【０２３４】
【表２】
0005745377.tif 000012
【０２３５】
【表３】
0005745377.tif 000013
【０２３６】
血液改質剤を有しない場合には、リウェット率は２２．７％であり、そして吸収体移行速度は６０秒超であったが、グリセリンと脂肪酸とのトリエステルは、いずれも、リウェット率が７．０％以下であり、そして吸収体移行速度が８秒以下であることから、吸収性能が大幅に改善されていることが分かる。しかし、グリセリンと脂肪酸とのトリエステルのうち、融点が４５℃を超えるＮＡ５０では、吸収性能に大きな改善はみられなかった。
【０２３７】
同様に、約０〜約０．６０のＩＯＢと、約４５℃以下の融点と、２５℃の水１００ｇに対する、約０．０５ｇ以下の水溶解度を有する血液改質剤では、吸収性能が大きく改善されることが分かった。
【０２３８】
次に、Ｎｏ．１〜４２の生理用ナプキンを、複数のボランティアの被験者に着用してもらったところ、Ｎｏ．１〜２８の血液改質剤を含む生理用ナプキンでは、経血を吸収した後であってもトップシートにべたつき感がなく、トップシートがサラサラしているとの回答を得た。特に、これらは、Ｎｏ．２９，３２，３９，４１および４２の生理用ナプキンとの差異が顕著であるとの回答を得た。
また、Ｎｏ．１〜２８の生理用ナプキンでは、そして、とくにＮｏ．１〜１１，１５〜１８および２８の血液改質剤を含む生理用ナプキンでは、経血を吸収後のトップシートの肌当接面が、血液で赤く染まっておらず、不快感が少ないとの回答を得た。
【０２３９】
［例２］
動物の各種血液に関して、上述のリウェット率を評価した。実験に用いられた血液は、以下の通りである。
［動物種］
（１）ヒト
（２）ウマ
（３）ヒツジ
【０２４０】
［血液種］
・脱繊維血：血液を採取後、ガラスビーズと共に、三角フラスコ内で約５分間撹拌したもの
・ＥＤＴＡ血：静脈血６５ｍＬに、１２％ＥＤＴＡ・２Ｋ生理食塩液０．５ｍＬを添加したもの
【０２４１】
［分画］
血清または血漿：それぞれ、脱繊維血またはＥＤＴＡ血を、室温下で、約１９００Ｇで１０分間遠心分離した後の上清
血球：血液から血清を除去し、残差をリン酸緩衝生理食塩液（ＰＢＳ）で２回洗浄し、次いで除去した血清分のリン酸緩衝生理食塩液を加えたもの
【０２４２】
トリＣ２Ｌ油脂肪酸グリセリドが、坪量がおおよそ５ｇ／ｍ2となるように塗布されている以外は、例１と同様にして吸収性物品を製造し、上述の各種血液のリウェット率を評価した。各血液に関して測定を３回行い、その平均値を採用した。
結果を、以下の表３に示す。
【０２４３】
【表４】
0005745377.tif 000014
【０２４４】
例１で得られた、ウマＥＤＴＡ血と同様の傾向が、ヒトおよびヒツジの血液でも得られた。また、脱繊維血およびＥＤＴＡ血においても、同様の傾向が観察された。
【０２４５】
［例３］
［血液保持性の評価］
血液改質剤を含むトップシートと、血液改質剤を含まないトップシートとにおける血液保持性を評価した。
【０２４６】
［試験方法］
（１）エアスルー不織布（ポリエステルおよびポリエチレンテレフタレートから成る複合繊維、坪量：３５ｇ／ｍ2）から形成されたトップシートの肌当接面に、トリＣ２Ｌ油脂肪酸グリセリドを、コントロールシームＨＭＡガンを用いて微粒化し、坪量がおおよそ５ｇ／ｍ2となるように塗布する。また、比較のため、トリＣ２Ｌ油脂肪酸グリセリドを塗布していないものも準備する。次いで、トリＣ２Ｌ油脂肪酸グリセリドが塗布されているトップシートと、塗布されていないトップシートとの両方を、０．２ｇの大きさにカットし、セルストレイナー＋トップシートの質量（ａ）を正確に測定する。
【０２４７】
（２）ウマＥＤＴＡ血約２ｍＬを、肌当接面側から添加し、１分間静置する。
（３）セルストレイナーを、遠心管にセットし、スピンダウンして、余剰のウマＥＤＴＡ血を取り除く。
（４）セルストレイナー＋ウマＥＤＴＡ血を含むトップシートの重量（ｂ）を測定する。
（５）下式にしたがって、トップシート１ｇ当たりの当初吸収量（ｇ）を算出する。
当初吸収量＝［重量（ｂ）−重量（ａ）］／０．２
（６）セルストレイナーを、遠心管に再セットし、室温下、約１２００Ｇで１分間遠心分離する。
【０２４８】
（７）セルストレイナー＋ウマＥＤＴＡ血を含むトップシートの重量（ｃ）を測定する。
（８）下式にしたがって、トップシート１ｇ当たりの試験後吸収量（ｇ）を算出する。
試験後吸収量＝［重量（ｃ）−重量（ａ）］／０．２
（９）下式にしたがって血液保持率（％）を算出した。
血液保持率（％）＝１００×試験後吸収量／当初吸収量
なお、測定は３回行い、その平均値を採用した。
結果を、以下の表４に示す。
【０２４９】
【表５】
0005745377.tif 000015
【０２５０】
血液改質剤を含むトップシートは、血液保持性が低く、血液を吸収後、迅速に吸収体に移行させることができることが示唆される。
【０２５１】
［例４］
［血液改質剤を含む血液の粘性］
血液改質剤を含む血液の粘性を、Ｒｈｅｏｍｅｔｒｉｃ  Ｅｘｐａｎｓｉｏｎ  Ｓｙｓｔｅｍ  ＡＲＥＳ（Ｒｈｅｏｍｅｔｒｉｃ  Ｓｃｉｅｎｔｉｆｉｃ，Ｉｎｃ）を用いて測定した。ウマ脱繊維血に、パナセート８１０ｓを２質量％添加し、軽く撹拌して試料を形成し、直径５０ｍｍのパラレルプレートに試料を載せ、ギャップを１００μｍとし、３７±０．５℃で粘度を測定した。パラレルプレートゆえ、試料に均一なせん断速度はかかっていないが、機器に表示された平均せん断速度は、１０ｓ-1であった。
【０２５２】
パナセート８１０ｓを２質量％含むウマ脱繊維血の粘度は、５．９ｍＰａ・ｓであり、一方、血液改質剤を含まないウマ脱繊維血の粘度は、５０．４ｍＰａ・ｓであった。したがって、パナセート８１０ｓを２質量％含むウマ脱繊維血は、血液改質剤を含まない場合と比較して、約９０％粘度を下げることが分かる。
血液は、血球等の成分を含み、チキソトロピーの性質を有することが知られているが、本開示の血液改質剤は、低粘度域で、血液の粘度を下げることができると考えられる。血液の粘度を下げることにより、吸収した経血を、トップシートから吸収体に速やかに移行させることができると考えられる。
【０２５３】
上記血液改質剤は、吸収した経血を、トップシートから吸収体に速やかに移行させるために、ウマ脱繊維血に、上記血液改質剤を２質量％添加し、３７℃およびせん断速度１０ｓ-1の条件下で粘度を測定した場合に、上記ウマ脱繊維血の粘度を、添加前と比較して、少なくとも５０％下げることが好ましく、少なくとも６０％下げることがより好ましく、少なくとも７０％下げることがさらに好ましく、そして少なくとも８０％下げることが最も好ましい。
【０２５４】
［例５］
［血液改質剤を含む血液の顕微鏡写真］
健常ボランティアの経血をサランラップ上に採取し、その一部に、１０倍の質量のリン酸緩衝生理食塩水中に分散されたパナセート８１０ｓを、パナセート８１０ｓの濃度が１質量％となるように添加した。経血を、スライドグラスに適下し、カバーグラスをかけ、光学顕微鏡にて、赤血球の状態を観察した。血液改質剤を含まない経血の顕微鏡写真を図２３（ａ）に、そしてパナセート８１０ｓを含む経血の顕微鏡写真を図２３（ｂ）に示す。
【０２５５】
図２３から、血液改質剤を含まない経血では、赤血球が連銭等の集合塊を形成しているが、パナセート８１０ｓを含む経血では、赤血球が、それぞれ、安定に分散していることが分かる。したがって、血液改質剤は、血液の中で、赤血球を安定化させる働きをしていることが示唆される。
【０２５６】
［例６］
［血液改質剤を含む血液の表面張力］
血液改質剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液改質剤を添加し、十分振とうした後に測定した。
測定は、機器が自動で行うが、表面張力γは、以下の式により求められる（図２４を参照）。
【０２５７】
γ＝ｇ×ρ×（ｄｅ）2×１／Ｈ
ｇ：重力定数
１／Ｈ：ｄｓ／ｄｅから求められる補正項
ρ：密度
ｄｅ：最大直径
ｄｓ：滴下端よりｄｅだけ上がった位置での径
【０２５８】
密度ρは、ＪＩＳ  Ｋ  ２２４９−１９９５の「密度試験方法および密度・質量・容量換算表」の５．振動式密度試験方法に準拠し、表５に示される温度で測定した。
測定には、京都電子工業株式会社のＤＡ−５０５を用いた。
結果を、下記表５に示す。
【０２５９】
【表６】
0005745377.tif 000016
【０２６０】
表５から、血液改質剤は、２５℃の水１００ｇに対する、０．０５ｇ以下の水溶解度を有することからも明らかなように、水への溶解性が非常に低いが、血液の表面張力を下げることができることが分かる。
血液の表面張力を下げることにより、吸収した血液をトップシートの繊維間に保持せず、速やかに吸収体に移行させることができると考えられる。
【０２６１】
実施形態と変形例の一つ、もしくは複数を組み合わせることも可能である。変形例同士をどのように組み合わせることも可能である。
【０２６２】
以上の説明はあくまで一例であり、発明は、上記の実施形態に何ら限定されるものではない。
【符号の説明】
【０２６３】
１    吸収性物品
２Ａ〜２Ｅ    トップシート
３    バックシート
４    吸収体
５    ウイング部
６    粘着部
２１Ａ，２１Ｂ    突条部
２２Ａ，２２Ｂ    底部
２３Ａ，２３Ｂ    頂部
２４Ａ，２４Ｂ    壁部
２５Ａ，３４Ｂ    開口部
２６Ａ    凹部
２７Ａ，２７Ｄ，２７Ｅ，３３Ｂ，３３Ｃ    滑剤層
１００Ａ，１００Ｂ    トップシート製造装置
１２０Ａ    凹部成形ロール
１２１Ａ    ローレットロール
１２２Ａ    平滑な表面を有する予熱ロール
１３０    延伸ギアロール
１３１    上段ギアロール
１３２    下段ギアロール
１３３，１３４    ギア歯
１４０    滑剤塗布スプレー
１４１    滑剤
【図１】
0005745377.tif 000017
【図２】
0005745377.tif 000018
【図３】
0005745377.tif 000019
【図４】
0005745377.tif 000020
【図５】
0005745377.tif 000021
【図６】
0005745377.tif 000022
【図７】
0005745377.tif 000023
【図８】
0005745377.tif 000024
【図１０】
0005745377.tif 000025
【図１１】
0005745377.tif 000026
【図１２】
0005745377.tif 000027
【図１５】
0005745377.tif 000028
【図１６】
0005745377.tif 000029
【図１７】
0005745377.tif 000030
【図２２】
0005745377.tif 000031
【図２４】
0005745377.tif 000032
【図９】
0005745377.tif 000033
【図１３】
0005745377.tif 000034
【図１４】
0005745377.tif 000035
【図１８】
0005745377.tif 000036
【図１９】
0005745377.tif 000037
【図２０】
0005745377.tif 000038
【図２１】
0005745377.tif 000039
【図２３】
0005745377.tif 000040